(57)【要約】  本発明は通信方法、装置及び通信システムを提供する。該通信装置は端末装置に設置される。該通信装置は第一取得ユニット及び通信ユニットを含み、第一取得ユニットは自動車通信（Ｖ２Ｘ）サービスと通信リソースパラメータとのマッピング関係に基づいて確定される通信リソースを取得又は選択し、通信ユニットは、前記通信リソースを用いてターゲットＶ２Ｘサービスを送信する。本発明は、自動車通信（Ｖ２Ｘ）サービスと通信リソースパラメータとのマッピング関係に基づいて端末装置の通信リソースを確定することができ、これにより、通信リソースがＶ２Ｘサービスの要求を満たすようにさせることができる。
2021532635.tif 000002
【特許請求の範囲】
【請求項１】
端末装置に設置される通信装置であって、
自動車通信（Ｖ２Ｘ）サービスと通信リソースパラメータとのマッピング関係に基づいて確定される通信リソースを取得又は選択する第一取得ユニット；及び
前記通信リソースを用いてターゲットＶ２Ｘサービスを送信する通信ユニットを含む、通信装置。
【請求項２】
請求項１に記載の通信装置であって、
前記通信リソースパラメータは、サブキャリア間隔（Ｓｕｂｃａｒｒｉｅｒ  ｓｐａｃｉｎｇ、ＳＣＳ）、伝送ブロックの伝送時間長、及びバンド幅部分（Ｂａｎｄｗｉｄｔｈ  ｐａｒｔ、ＢＷＰ）の情報のうちの少なくとも１つを含む、通信装置。
【請求項３】
請求項１に記載の通信装置であって、
前記Ｖ２Ｘサービスと前記通信リソースパラメータとのマッピング関係は、
前記Ｖ２Ｘサービスのサービスタイプと前記通信リソースパラメータとのマッピング関係；及び／又は
前記Ｖ２Ｘサービスのサービス属性と前記通信リソースパラメータとのマッピング関係を含む、通信装置。
【請求項４】
請求項１に記載の通信装置であって、
前記Ｖ２Ｘサービスと前記通信リソースパラメータとのマッピング関係は、前記端末装置の上位層により確定され、又は、前記端末装置のアクセス層（ＡＳ  ｌａｙｅｒ）により確定される、通信装置。
【請求項５】
請求項４に記載の通信装置であって、
前記第一取得ユニットは、
ネットワーク装置に前記ターゲットＶ２Ｘサービスに関する情報を送信し；及び
前記ネットワーク装置送信の指示情報を受信し、
前記指示情報は、前記ネットワーク装置が前記ターゲットＶ２Ｘサービスに関する情報及び前記マッピング関係に基づいて確定する通信リソースパラメータに対応する通信リソースを指示するために用いられる、通信装置。
【請求項６】
請求項４に記載の通信装置であって、
前記Ｖ２Ｘサービスと前記通信リソースパラメータとのマッピング関係は、前記通信装置により前記ネットワーク装置に送信される、通信装置。
【請求項７】
請求項１に記載の通信装置であって、
前記第一取得ユニットは、前記ターゲットＶ２Ｘサービス及び前記マッピング関係に基づいて通信リソースパラメータを確定し、該通信リソースパラメータに対応する通信リソースを選択する、通信装置。
【請求項８】
請求項７に記載の通信装置であって、
前記第一取得ユニットにはさらに、各通信リソースパラメータに対応する通信リソースの情報が提供され、
前記第一取得ユニットは、前記ターゲットＶ２Ｘサービス、前記マッピング関係、及び前記各通信リソースパラメータに対応する通信リソースの情報に基づいて通信リソースパラメータを確定し、該通信リソースパラメータに対応する通信リソースを選択する、通信装置。
【請求項９】
請求項８に記載の通信装置であって、
前記各通信リソースパラメータに対応する通信リソースの情報は、チャネルビジー率（ＣＢＲ）情報、優先度情報、信頼性情報、レート情報、遅延（ｌａｔｅｎｃｙ）情報、及びサービス品質情報のうちの少なくとも１つを含む、通信装置。
【請求項１０】
請求項１に記載の通信装置であって、
前記Ｖ２Ｘサービスと前記通信リソースパラメータとのマッピング関係はネットワーク装置により確定される、通信装置。
【請求項１１】
請求項１０に記載の通信装置であって、
前記第一取得ユニットは、
前記ネットワーク装置から前記マッピング関係を取得し；及び
前記ターゲットＶ２Ｘサービス及び前記マッピング関係に基づいて通信リソースパラメータを確定し、該通信リソースパラメータに対応する通信リソースを選択する、通信装置。
【請求項１２】
ネットワーク装置に設置される通信装置であって、
自動車通信（Ｖ２Ｘ）サービスと通信リソースパラメータとのマッピング関係を取得又は確定する第二取得ユニットを含む、通信装置。
【請求項１３】
請求項１２に記載の通信装置であって、
前記通信リソースパラメータは、サブキャリア間隔（Ｓｕｂｃａｒｒｉｅｒ  ｓｐａｃｉｎｇ、ＳＣＳ）、伝送ブロックの伝送時間長、及びバンド幅部分（Ｂａｎｄｗｉｄｔｈ  ｐａｒｔ、ＢＷＰ）の情報のうちの少なくとも１つを含む、通信装置。
【請求項１４】
請求項１２に記載の通信装置であって、
前記Ｖ２Ｘサービスと前記通信リソースパラメータとのマッピング関係は、前記Ｖ２Ｘサービスのサービスタイプと前記通信リソースパラメータのマッピング関係、及び／又は、前記Ｖ２Ｘサービスのサービス属性と前記通信リソースパラメータとのマッピング関係を含む、通信装置。
【請求項１５】
請求項１２に記載の通信装置であって、
前記第二取得ユニットは、無線リソース制御（ＲＲＣ）メッセージにより端末装置から前記Ｖ２Ｘサービスと前記通信リソースパラメータとのマッピング関係を受信する、通信装置。
【請求項１６】
請求項１２に記載の通信装置であって、
端末装置から前記端末装置のターゲットＶ２Ｘサービスに関する情報を受信する受信ユニット；
前記ターゲットＶ２Ｘサービスに関する情報、及び前記マッピング関係に基づいて、通信リソースパラメータを確定し、前記通信リソースパラメータに対応する通信リソースを確定する確定ユニット；及び
前記端末装置に前記通信リソースを指示するための指示情報を送信する送信ユニットをさらに含む、通信装置。
【請求項１７】
請求項１２に記載の通信装置であって、
前記通信装置は端末装置に各通信リソースパラメータに対応する通信リソースの情報を送信する、通信装置。
【請求項１８】
請求項１２に記載の通信装置であって、
前記通信装置は端末装置に通信リソースパラメータに対して設定を行うための設定情報を提供する、通信装置。
【請求項１９】
請求項１２に記載の通信装置であって、
前記通信装置は端末装置に前記マッピング関係を送信する、通信装置。
【請求項２０】
ネットワーク装置及び端末装置を含む通信システムであって、
前記ネットワーク装置は請求項１２−１９のうちの任意の１項に記載の通信装置を含み、前記端末装置は請求項１−１１のうちの任意の１項に記載の通信装置を含む、通信システム。
【発明の詳細な説明】
【技術分野】
【０００１】
本発明は、通信分野に関し、特に、通信方法、装置及び通信システムに関する。
【背景技術】
【０００２】
自動車通信サービスがＶ２Ｘサービスと称される。Ｖ２Ｘサービスは複数種のタイプ、例えば、車対車（Ｖｅｈｉｃｌｅ−ｔｏ−Ｖｅｈｉｃｌｅ、Ｖ２Ｖ）通信サービス、車対インフラストラクチャー（Ｖｅｈｉｃｌｅ−ｔｏ−Ｉｎｆｒａｓｔｒｕｃｔｕｒｅ、Ｖ２Ｉ）通信サービス、車対人（Ｖｅｈｉｃｌｅ−ｔｏ−Ｐｅｄｅｓｔｒｉａｎ、Ｖ２Ｐ）通信サービスなどを含む。
【０００３】
Ｖ２Ｘサービスは、ＰＣ５インターフェース及び／又はＵｕインターフェースにより提供され得る。ＰＣ５インターフェースにより伝送されるＶ２Ｘサービスについては、Ｖ２Ｘサイドリンク（ｓｉｄｅｌｉｎｋ）通信により提供され得る。Ｖ２Ｘサイドリンク通信は、端末装置が直接、ＰＣ５インターフェースにより互いに通信を行うことができる通信モードである。
【０００４】
なお、上述の背景技術についての紹介は、本発明の技術案を明確且つ完全に説明し、また、当業者がそれを理解しやすいためのものである。これらの技術案は、本発明の背景技術に記述されているため、当業者にとって周知であると解釈してはならない。
【発明の概要】
【発明が解決しようとする課題】
【０００５】
本発明の発明者は次のようなことを発見した。即ち、一方では、従来のＬＴＥにおいて、各キャリアのサブキャリア間隔（Ｓｕｂｃａｒｒｉｅｒ  ｓｐａｃｉｎｇ、ＳＣＳ）が１５ｋと固定され、且つＬＴＥのＶ２Ｘサイドリンク（ｓｉｄｅｌｉｎｋ）通信において、ＰＣ５インターフェース通信における伝送時間間隔（ＴＴＩ）が１つのサブフレーム、即ち、１ｍｓである。今のところ、短い伝送時間間隔（ｓｈｏｒｔ  ＴＴＩ）をサポートしないから、従来のＬＴＥのＶ２Ｘサイドリンク（ｓｉｄｅｌｉｎｋ）通信は、異なる要求のＶ２Ｘサービス、例えば、超低遅延の要求のＶ２Ｘサービスに適用することが困難であり、他方では、新無線（ＮＲ）のＵｕインターフェースにおいて、各キャリア上のＳＣＳが複数、例えば、１５ｋ、３０ｋ、６０ｋなどある可能性があり、且つＮＲにおいてスロット（ｓｌｏｔ）及び非スロット（ｎｏｎ−ｓｌｏｔ）に基づく伝送をサポートし得る。また、１つのラージ（ｌａｒｇｅ）バンド幅キャリア内でＢＷＰ（Ｂａｎｄｗｉｄｔｈ  ｐａｒｔ）操作の採用もサポートし得ることで、異なるＲＦ能力を有するユーザ装置に、キャリア内での異なるバンド幅を有するＢＷＰ上で受信及び送信を行わせることができる。さらに、異なるＢＷＰは、異なるＳＣＳを、異なるサービス品質（ＱｏＳ）の要求のサービスを提供するために使用するように設定され得る。
【０００６】
これからのＮＲのＶ２Ｘサイドリンク（ｓｉｄｅｌｉｎｋ）通信において、ＮＲ無線インターフェースの複数種の通信リソースパラメータの操作を、異なるＮＲ  Ｖ２Ｘサービスタイプをサポートするため採用する可能性があり、そのうち、通信リソースパラメータは、ＳＣＳ及び／又は時間長及び／又はＢＷＰであっても良い。よって、如何にＮＲの中の複数種の通信リソースパラメータを用いて異なる要求のＶ２Ｘサービスを提供するかが１つの解決する必要のある問題になる。
【０００７】
本発明の実施例は、通信方法、装置及び通信システムを提供し、自動車通信（Ｖ２Ｘ）サービスと通信リソースパラメータとのマッピング関係に基づいて端末装置の通信リソースを確定する。これにより、通信リソースがＶ２Ｘサービスの要求を満足するようにさせることができる。
【課題を解決するための手段】
【０００８】
本発明の実施例の第一側面によれば、端末装置に設置される通信装置が提供され、該通信装置は、
自動車通信（Ｖ２Ｘ）サービスと通信リソースパラメータとのマッピング関係に基づいて確定される通信リソースを取得又は選択するための第一取得ユニット；及び
前記通信リソースを使用してターゲットＶ２Ｘサービスを送信するための通信ユニットを含む。
【０００９】
本発明の実施例の第二側面によれば、ネットワーク装置に設置される通信装置が提供され、該通信装置は、
自動車通信（Ｖ２Ｘ）サービスと通信リソースパラメータとのマッピング関係を取得又は確定するための第二取得ユニットを含む。
【００１０】
本発明の実施例の第三側面によれば、端末装置及びネットワーク装置を含む通信システムが提供され、該端末装置は、上述のような実施例の第一側面に記載の通信装置を含み、該ネットワーク装置は、上述のような実施例の第二側面に記載の通信装置を含む。
【００１１】
本発明の実施例の有益な効果は次の通りであり、即ち、Ｖ２Ｘサービスのサービス特徴に基づいて、適切な通信リソースを選択することで、通信リソースがＶ２Ｘサービスの要求を満足するようにさせることができ、例えば、Ｖ２Ｘサービスの伝送遅延を減少させ、Ｖ２Ｘサービス伝送の信頼性を向上させることができるなどである。また、本発明における方法の実施は複雑度が比較的低いため、通信プロダクトにおける実現に有利である。
【００１２】
なお、「含む／有する」のような用語は、本明細書に使用されるときに、特徴、要素、ステップ、又はアセンブルの存在を指すが、１つ又は複数の他の特徴、要素、ステップ、又はアセンブリの存在又は付加を排除しないということも指す。
【図面の簡単な説明】
【００１３】
本発明の１つの図面又は１つの実施形態に記載の要素及び特徴は、１つ又は複数の他の図面又は実施形態に示した要素及び特徴と組み合わせることができる。また、図面では、類似した符号は、幾つの図面における対応する部品を示し、複数の実施形態に用いる対応部品を示すためにも用いられる。
【００１４】
含まれている図面は、本発明の実施例への更なる理解を提供するために用いられ、これらの図面は、本明細書の一部を構成し、本発明の実施形態を例示し、文字記載とともに本発明の原理を説明するために用いられる。また、明らかのように、以下に記載される図面は、本発明の幾つかの実施例を示すためのものに過ぎず、当業者は、創造性のある労働をせずに、これらの図面に基づいて他の図面を得ることもできる。
【図１】本発明の通信システムを示す図である。
【図２】本発明の実施例１における通信方法を示す図である。
【図３】本発明の実施例１におけるＶ２Ｘサービスと通信リソースパラメータとのマッピング関係を示す図である。
【図４】本発明の実施例１において端末装置が第一モードにより通信リソースを取得する方法を示す図である。
【図５】本発明の実施例１において端末装置が第二モードにより通信リソースを選択する方法を示す図である。
【図６】本発明の実施例１において端末装置が第一モードにより通信リソースを取得する方法を示す他の図である。
【図７】本発明の実施例１において端末装置が第二モードにより通信リソースを選択する方法を示す他の図である。
【図８】本発明の実施例２における通信方法を示す図である。
【図９】本発明の実施例３における通信装置を示す図である。
【図１０】本発明の実施例４における通信装置を示す図である。
【図１１】本発明の実施例５における端末装置の構成図である。
【図１２】本発明の実施例６におけるネットワーク装置の構成図である。
【図１３】本発明の実施例７における通信システムの一例のワークフローを示す図である。
【図１４】本発明の実施例７における通信システムの一例のワークフローを示す図である。
【図１５】本発明の実施例７における通信システムの一例のワークフローを示す図である。
【図１６】本発明の実施例７における通信システムの一例のワークフローを示す図である。
【図１７】本発明の実施例７における通信システムの一例のワークフローを示す図である。
【図１８】本発明の実施例７における通信システムの一例のワークフローを示す図である。
【図１９】本発明の実施例７における通信システムの一例のワークフローを示す図である。
【発明を実施するための形態】
【００１５】
添付した図面及び以下の説明を参照することにより、本発明の前述及び他の特徴が明らかになる。なお、明細書及び図面では、本発明の特定の実施形態を開示するが、それは、本発明の原理を採用し得る一部のみの実施形態を示し、理解すべきは、本発明は、記載される実施形態に限定されず、即ち、本発明は、添付した特許請求の範囲内のすべての変更、変形及び代替によるものも含むということである。
【００１６】
本発明の実施例では、用語「通信ネットワーク」又は「無線通信ネットワーク」は、次のような任意の通信規格に準ずるネットワークを指しても良く、例えば、ＬＴＥ（ＬＴＥ、Ｌｏｎｇ  Ｔｅｒｍ  Ｅｖｏｌｕｔｉｏｎ）、ＬＴＥ−Ａ（ＬＴＥ−Ａｄｖａｎｃｅｄ）、ＷＣＤＭＡ(登録商標)（Ｗｉｄｅｂａｎｄ  Ｃｏｄｅ  Ｄｉｖｉｓｉｏｎ  Ｍｕｌｔｉｐｌｅ  Ａｃｃｅｓｓ）、ＨＳＰＡ（Ｈｉｇｈ−Ｓｐｅｅｄ  Ｐａｃｋｅｔ  Ａｃｃｅｓｓ）などである。
【００１７】
また、通信システムにおける装置間の通信は、任意の段階の通信プロトコルに従って行われても良く、例えば、次のような通信プロトコルを含んでも良いが、それに限定されず、即ち、１Ｇ（ｇｅｎｅｒａｔｉｏｎ）、２Ｇ、２．５Ｇ、２．７５Ｇ、３Ｇ、４Ｇ、４．５Ｇ及び将来の５Ｇ、新無線（ＮＲ、Ｎｅｗ  Ｒａｄｉｏ）など、及び／又は、その他の従来の又は将来開発される通信プロトコルである。
【００１８】
本発明の実施例では、用語「ネットワーク装置」は、例えば、通信システムにおける、端末装置を通信ネットワークに接続し、且つ該端末装置にサービスを提供する装置を指す。ネットワーク装置は、次のようなものを含んでも良いが、それに限定されず、即ち、基地局（ＢＳ、Ｂａｓｅ  Ｓｔａｔｉｏｎ）、アクセスポイント（ＡＰ、Ａｃｃｅｓｓ  Ｐｏｉｎｔ）、送受信ポイント（ＴＲＰ、Ｔｒａｎｓｍｉｓｓｉｏｎ  Ｒｅｃｅｐｔｉｏｎ  Ｐｏｉｎｔ）、ブロードキャスト送信機、モバイル管理エンティティ（ＭＭＥ、Ｍｏｂｉｌｅ  Ｍａｎａｇｅｍｅｎｔ  Ｅｎｔｉｔｙ）、ネットワークゲートウェイ、サーバー、無線ネットワーク制御器（ＲＮＣ、Ｒａｄｉｏ  Ｎｅｔｗｏｒｋ  Ｃｏｎｔｒｏｌｌｅｒ）、基地局制御器（ＢＳＣ、Ｂａｓｅ  Ｓｔａｔｉｏｎ  Ｃｏｎｔｒｏｌｌｅｒ）などである。
【００１９】
そのうち、基地局は、次のようなものを含んでも良いが、それに限定されず、即ち、ノードＢ（ＮｏｄｅＢ又はＮＢ）、進化ノードＢ（ｅＮｏｄｅＢ又はｅＮＢ）及び５Ｇ基地局（ｇＮＢ）などであり、さらにＲＲＨ（Ｒｅｍｏｔｅ  Ｒａｄｉｏ  Ｈｅａｄ）、ＲＲＵ（Ｒｅｍｏｔｅ  Ｒａｄｉｏ  Ｕｎｉｔ）、リレー（ｒｅｌａｙ）又は低パワーノード（例えば、ｆｅｍｔｏ、ｐｉｃｏなど）を含んでも良い。また、用語「基地局」は、それらの一部又はすべての機能を含んでも良く、各基地局は、特定の地理的領域に対して通信カバレッジを提供することができる。用語「セル」が指すのは、基地局及び／又はそのカバーする領域であっても良い、これは、該用語のコンテキストによるものである。
【００２０】
本発明の実施例では、用語「ユーザ装置」（ＵＥ、Ｕｓｅｒ  Ｅｑｕｉｐｍｅｎｔ）又は「端末装置」（ＴＥ、Ｔｅｒｍｉｎａｌ  Ｅｑｕｉｐｍｅｎｔ）は、例えば、ネットワーク装置により通信ネットワークにアクセスし、且つネットワークからのサービスを受ける装置を指す。ユーザ装置は、固定したもの又は移動するものであっても良く、また、移動ステーション（ＭＳ、Ｍｏｂｉｌｅ  Ｓｔａｔｉｏｎ）、端末、加入者ステーション（ＳＳ、Ｓｕｂｓｃｒｉｂｅｒ  Ｓｔａｔｉｏｎ）、アクセス端末（ＡＴ、Ａｃｃｅｓｓ  Ｔｅｒｍｉｎａｌ）、ステーションなどとも称される。
【００２１】
そのうち、ユーザ装置は、次のようなものを含んでも良いが、それに限定されず、例えば、携帯電話（Ｃｅｌｌｕｌａｒ  Ｐｈｏｎｅ）、ＰＤＡ（Ｐｅｒｓｏｎａｌ  Ｄｉｇｉｔａｌ  Ａｓｓｉｓｔａｎｔ）、無線モデム、無線通信装置、携帯装置、マシンタイプ通信装置、ラップトップコンピュータ、コードレス電話機、スマートフォン、スマートウォッチ、デジタルカメラなどである。
【００２２】
また、例えば、ＩｏＴ（Ｉｎｔｅｒｎｅｔ  ｏｆ  Ｔｈｉｎｇｓ）などのシナリオでは、ユーザ装置は、さらに、監視又は測定を行う機器又は装置であっても良く、例えば、次のようなものを含んでも良いが、それに限定されず、即ち、マシンタイプ通信（ＭＴＣ、Ｍａｃｈｉｎｅ  Ｔｙｐｅ  Ｃｏｍｍｕｎｉｃａｔｉｏｎ）端末、車載通信端末、Ｄ２Ｄ（Ｄｅｖｉｃｅ  ｔｏ  Ｄｅｖｉｃｅ）端末、Ｍ２Ｍ（Ｍａｃｈｉｎｅ  ｔｏ  Ｍａｃｈｉｎｅ）端末などである。
【００２３】
また、用語「ネットワーク側」又は「ネットワーク装置側」とは、ネットワークの側を指し、又はる基地局であっても良く、上述のような１つ又は複数のネットワーク装置を含んでも良い。用語「ユーザ側」又は「端末側」又は「端末装置側」とは、ユーザ又は端末の側を指し、又はるＵＥであっても良く、上述のような１つ又は複数の端末装置を含んでも良い。
【００２４】
以下、例を挙げて本発明の実施例におけるシナリオについて説明を行うが、本発明は、これに限られない。
【００２５】
図１は、本発明の実施例における通信システムを示す図であり、端末装置及びネットワーク装置を例にとる場合を例示的に示している。通信システム１００はネットワーク装置１０１及び複数の端末装置１０２を含む。該複数の端末装置は例えば端末装置１０２１、端末装置１０２２、端末装置１０２３、又は端末装置１０２４であっても良い。
【００２６】
本発明の実施例では、ネットワーク装置１０１と端末装置１０２との間は、従来のトラフィック又は将来実施可能なトラフィックが行われても良い。例えば、これらのトラフィックは、ｅＭＢＢ（ｅｎｈａｎｃｅｄ  Ｍｏｂｉｌｅ  Ｂｒｏａｄｂａｎｄ）、ｍＭＴＣ（ｍａｓｓｉｖｅ  Ｍａｃｈｉｎｅ  Ｔｙｐｅ  Ｃｏｍｍｕｎｉｃａｔｉｏｎ）、ＵＲＬＬＣ（Ｕｌｔｒａ−Ｒｅｌｉａｂｌｅ  ａｎｄ  Ｌｏｗ−Ｌａｔｅｎｃｙ  Ｃｏｍｍｕｎｉｃａｔｉｏｎ）などを含んでも良いが、これに限定されない。
【００２７】
そのうち、端末装置１０２はネットワーク装置１０１にデータを送信し、また、ネットワーク装置１０１のフィードバック情報を受信することができる。ネットワーク装置１０１は１つ又は複数の端末装置１０２にデータを送信し、また、端末装置１０２が送信するフィードバックを受信することができる。
【００２８】
また、端末装置１０２は他の端末装置１０２にＶ２Ｘサービスに関するメッセージ送信し、又は、端装置１０２は他の端末装置１０２からＶ２Ｘサービスに関するメッセージ受信することができる。例えば、端末装置１０２１は端末装置１０２２にＶ２Ｘサービスに関するメッセージを送信し、又は、端装置１０２１は端末装置１０２２からＶ２Ｘサービスに関するメッセージを受信することができる。
【００２９】
以下、通信システムの中のネットワーク装置を送信端とし、端末装置を受信端とすることを例にとって説明するが、本発明はこれに限定されない。送信端及び／又は受信端はさらに他の装置であっても良い。例えば、本発明は、ネットワーク装置と端末装置との間の信号伝送に適用することができるだけでなく、２つの端末装置の間の信号伝送に適用することもできる。
【実施例１】
【００３０】
本発明の実施例１は通信方法を提供し、該方法は端末装置により実行され得る。
【００３１】
図２は本実施例の通信方法を示す図であり、図２に示すように、該方法は以下のステップを含む。
【００３２】
ステップ２０１：端末装置が、自動車通信（Ｖ２Ｘ）サービスと通信リソースパラメータとのマッピング関係に基づいて確定される通信リソースを取得又は選択し；
ステップ２０２：該端末装置が前記通信リソースを使用してターゲットＶ２Ｘサービスを送信する。
【００３３】
本実施例では、自動車通信（Ｖ２Ｘ）サービスと通信リソースパラメータとのマッピング関係に基づいて端末装置の通信リソースを確定することによって、通信リソースがＶ２Ｘサービスの要求を満足するようにさせることができる。
【００３４】
本実施例では、通信リソースパラメータは通信リソース特徴を記述するためのパラメータであっても良く、該パラメータに基づいて、異なる通信リソースを区別することができる。例えば、通信リソースパラメータは、次のパラメータのうちの少なくとも１つを含んでも良く、即ち、サブキャリア間隔（Ｓｕｂｃａｒｒｉｅｒ  ｓｐａｃｉｎｇ、ＳＣＳ）、伝送ブロックの伝送時間長、及びバンド幅部分（Ｂａｎｄｗｉｄｔｈ  ｐａｒｔ、ＢＷＰ）の情報である。
【００３５】
本実施例では、Ｖ２Ｘサービスは、Ｖ２Ｘサービスのサービスタイプ、及び／又は、Ｖ２Ｘサービスのサービス属性を含んでも良い。Ｖ２Ｘサービスと通信リソースパラメータとのマッピング関係は、Ｖ２Ｘサービスのサービスタイプと通信リソースパラメータとのマッピング関係、及び／又は、Ｖ２Ｘサービスのサービス属性と通信リソースパラメータとのマッピング関係を含んでも良い。
【００３６】
本実施例では、Ｖ２Ｘサービスのサービスタイプは、次にリストされるタイプのうちの少なくとも１つを含んでも良く、即ち、安全サービス又は非安全サービス、周期メッセージ又はイベントトリガーのメッセージ、共通アウェアネスメッセージ（Ｃｏｍｍｏｎ  Ａｗａｒｅｎｅｓｓ  Ｍｅｓｓａｇｅｓ、ＣＡＭ）又は分散型環境通知メッセージ（Ｄｅｃｅｎｔｒａｌｉｓｅｄ  Ｅｎｖｉｒｏｎｍｅｎｔａｌ  Ｎｏｔｉｆｉｃａｔｉｏｎ  Ｍｅｓｓａｇｅｓ、ＤＥＮＭ）又は基本安全メッセージ（Ｂａｓｉｃ  Ｓａｆｅｔｙ  Ｍｅｓｓａｇｅ、ＢＳＭ）である。即ち、安全の角度から、Ｖ２Ｘサービスのサービスタイプは安全サービスと非安全サービスに分けることができ；送信周波数の角度から、Ｖ２Ｘサービスのサービスタイプは周期トリガーとイベントトリガーのメッセージに分けることができ；サービス内容の角度から、Ｖ２ＸサービスのサービスタイプはＣＡＭ、ＤＥＮＭ及びＢＳＭメッセージに分けることができる。
【００３７】
本実施例では、Ｖ２Ｘサービスのサービス属性は、次にリストされる属性のうちの少なくとも１つを含んでも良く、即ち、Ｖ２Ｘサービスの優先度、例えば、データパケット優先度（ＰｒｏＳｅ  Ｐｅｒ−Ｐａｃｋｅｔ  Ｐｒｉｏｒｉｔｙ、ＰＰＰＰ）又はデータパケット優先度の集合など；Ｖ２Ｘサービスの信頼性、例えば、データパケット信頼性（ＰｒｏＳｅ  Ｐｅｒ−Ｐａｃｋｅｔ  Ｒｅｌｉａｂｉｌｉｔｙ、ＰＰＰＲ）又はデータパケット信頼性（ＰＰＰＲ）の集合又は正確伝送率など；Ｖ２Ｘサービスのレート、例えば、保証ビットレート（ｇｕａｒａｎｔｅｅｄ  ｂｉｔ  ｒａｔｅ、ＧＢＲ）など；Ｖ２Ｘサービスの遅延、例えば、データパケット（ｐａｃｋｅｔ）の遅延など；及び、Ｖ２Ｘサービスのサービス品質のレベル、例えば、Ｖ２Ｘサービスのサービス品質（ＱｏＳ）のレベルの索引（該Ｖ２Ｘサービスのサービス品質（ＱｏＳ）レベルの索引は、一連のサービス品質（ＱｏＳ）パラメータ、例えば、優先度、及び／又は遅延、及び／又はエラー率、及び／又はレートなどに対応することができる）である。
【００３８】
図３は、本発明の実施例１におけるＶ２Ｘサービスと通信リソースパラメータとのマッピング関係を示す図である。図３に示すように、ワイド（ｗｉｄｅ）キャリア３００で複数のＳＣＳ、即ち、ＳＣＳ１、ＳＣＳ２及びＳＣＳ３が存在する。Ｖ２Ｘサービス３１、３２、３３は、該複数のＳＣＳとの間にマッピング関係が存在しても良く、例えば、１つのＶ２Ｘサービスは、１つ又は複数のＳＣＳにマッピングすることができる。同様に、Ｖ２Ｘサービスは、ｓｌｏｔに基づく伝送であるか、それとも、ｎｏｎ−ｓｌｏｔに基づく伝送であるかと、類似したマッピング関係を有しても良く、また、Ｖ２ＸサービスとＢＷＰの情報との間にも、類似したマッピング関係があっても良い。
【００３９】
本実施例のステップ２０１の１つの実施方式において、ネットワーク装置が該通信リソースを端末装置に割り当てることで、該端末装置は該通信リソースを得ることができる。本明細書の以下の説明において、該実施方式を第一モードと称する。本実施例のステップ２０１のもう１つの実施方式において、端末装置はリソースプールにおいて通信リソースを選択することができ、そのうち、該通信プールは事前設定され、又は、ネットワーク装置により設定されても良く、本明細書の以下の説明において、該実施方式を第二モードと称する。
【００４０】
本実施例では、Ｖ２Ｘサービスと通信リソースパラメータとのマッピング関係は端末装置が確定することができる。このような場合、端末装置は上述の第一モード又は第二モードにより通信リソースを取得又は選択することができる。そのうち、Ｖ２Ｘサービスと通信リソースパラメータとのマッピング関係が端末装置により確定されることは、Ｖ２Ｘサービスと通信リソースパラメータとのマッピング関係が端末装置の上位層により確定さ；又は、Ｖ２Ｘサービスと通信リソースパラメータとのマッピング関係が端末装置のアクセス層（ＡＳ  ｌａｙｅｒ）により確定されることであっても良い。そのうち、端末装置の上位層はＶ２Ｘ応用層又は非アクセス層（ＮＡＳ  ｌａｙｅｒ）であっても良い。
【００４１】
図４は端末装置が第一モードにより通信リソースを得る方法を示す図である。図４に示すように、該方法は以下のステップを含む。
【００４２】
ステップ４０１：端末装置が前記ネットワーク装置に前記Ｖ２Ｘサービスと前記通信リソースパラメータとのマッピング関係を送信し；
ステップ４０２：端末装置がネットワーク装置にターゲットＶ２Ｘサービスに関する情報を送信し；
ステップ４０３：端末装置が前記ネットワーク装置送信の指示情報を受信し、前記指示情報は、前記ネットワーク装置が前記ターゲットＶ２Ｘサービスに関する情報及び前記マッピング関係に基づいて確定する通信リソースパラメータに対応する通信リソースを指示するために用いられる。
【００４３】
本実施例のステップ４０１において、端末装置は無線リソース制御（ＲＲＣ）メッセージにおいてネットワーク装置にＶ２Ｘサービスと通信リソースパラメータとのマッピング関係を送信することができる。該無線リソース制御（ＲＲＣ）メッセージは例えば、サイドリンクユーザ装置情報（Ｓｉｄｅｌｉｎｋ  ＵＥ  Ｉｎｆｏｒｍａｔｉｏｎ）メッセージなどであっても良い。
【００４４】
本実施例のステップ４０２において、端末装置はネットワーク装置にターゲットＶ２Ｘサービスに関する情報を送信しても良く、該情報は該ターゲットＶ２Ｘサービスのサービスタイプ及び／又はサービス属性を指示するために用いられても良く、例えば、該ターゲットＶ２Ｘサービスに関する情報はターゲット索引（ｄｅｓｔｉｎａｔｉｏｎ  ｉｎｄｅｘ）であっても良く、それは、該ターゲットＶ２Ｘサービスのサービスタイプを指示することができ、また、例えば、該ターゲットＶ２Ｘサービスに関する情報は、ロジックチャネル組（ＬＣＧ）標識（ＩＤ）であっても良く、それは該ターゲットＶ２Ｘサービスのサービス属性を指示することができる。
【００４５】
本実施例では、端末装置は例えば、サイドリンクバッファ状態報告（Ｓｉｄｅｌｉｎｋ  ＢＳＲ）によりネットワーク装置にターゲットＶ２Ｘサービスに関する情報を送信しても良い。
【００４６】
本実施例のステップ４０３において、端末装置はネットワーク装置送信の指示情報を受信し、該指示情報は端末装置に、ネットワーク装置が該端末装置に割り当てる通信リソースを指示することができる。該通信リソースは通信リソースパラメータに対応し、該通信リソースパラメータはネットワーク装置がターゲットＶ２Ｘサービスに関する情報及び上述マッピング関係に基づいて確定する通信リソースパラメータであっても良い。該指示情報は例えば、サイドリンクグラント（ＳＬ  ｇｒａｎｔｓ）情報であっても良い。
【００４７】
本実施例では、ユーザ装置が新しいターゲットＶ２Ｘサービスを送信しようとするときに、ステップ４０２を直接実行しても良い。毎回ステップ４０２を実行する前にステップ４０１を実行する必要がない。例えば、ネットワーク装置が端末装置送信の該マッピング関係を記憶しており、且つ該マッピング関係が更新されない場合、ステップ４０１は省略されても良く、又は、ステップ４０１は周期又は非周期的に実行されるなどであっても良い。
【００４８】
図５は端末装置が第二モードにより通信リソースを選択する方法を示す図である。図５に示すように、該方法は以下のステップを含む。
【００４９】
ステップ５０１：端末装置が前記ターゲットＶ２Ｘサービス及び前記マッピング関係に基づいて通信リソースパラメータを確定し、そして、該通信リソースパラメータに対応する通信リソースを選択する。
【００５０】
本実施例のステップ５０１において、例えば、端末装置は、ターゲットＶ２Ｘサービスを送信するためのキャリアを選択した後に、該ターゲットＶ２Ｘサービスと通信リソースパラメータ（例えば、ＳＣＳ）との間のマッピング関係に基づいてターゲットＶ２Ｘサービス送信用のＳＣＳを選択し、そして、該ＳＣＳに対応する通信リソースを用いて該ターゲットＶ２Ｘサービスの送信を行うことができる。また、該Ｖ２Ｘサービスが複数種のＳＣＳにマッピングされる場合、端末装置はさらに、そのうちの１つのＳＣＳを送信のために選択しても良く、例えば、端末装置の実現（実装）に基づいて、端末装置はそのうちの最小のＳＣＳを選択し、又は、端末装置はそのうちの最大のＳＣＳを選択し、又は端末装置はそのうちのチャネル占用率が最も低い又は或る閾値よりも小さいＳＣＳを選択し、又は端末装置はそのうちの最大バンド幅を有するＳＣＳを選択し、又は端末装置はそのうちのｓｌｏｔ又はｎｏｎ−ｓｌｏｔに基づく伝送をサポートし得るＳＣＳを選択するなどである。
【００５１】
本実施例では、図５に示すように、該方法はさらに以下のステップを含んでも良い。
【００５２】
ステップ５０２：各通信リソースパラメータに対応する通信リソースの情報が端末装置に提供される。
【００５３】
本実施例のステップ５０２において、該各通信リソースパラメータ（例えば、ＳＣＳ）に対応する通信リソースの情報は、チャネルビジー率（ＣＢＲ）情報（例えば、各ＳＣＳに対応するＣＢＲ閾値）及び／又は優先度情報（例えば、各ＳＣＳに対応するＰＰＰＰ）及び／又は信頼性情報（例えば、各ＳＣＳに対応するＰＰＰＲ）及び／又はレート情報（例えば、各ＳＣＳに対応するＧＢＲ）及び／又は遅延情報（例えば、各ＳＣＳに対応する遅延）及び／又はＱｏＳ情報（例えば、各ＳＣＳに対応するサービスのＱｏＳパラメータ又はＱｏＳ索引）などを含んでも良い。
【００５４】
本実施例では、端末装置に、ステップ５０２で各通信リソースパラメータ（例えば、ＳＣＳ）に対応する通信リソースの情報を提供したときに、端末装置はステップ５０１において、該ターゲットＶ２Ｘサービス、該マッピング関係、及び提供された情報に基づいて、通信リソースパラメータを確定し、そして、該通信リソースパラメータに対応する通信リソースを選択することができる。
【００５５】
例えば、端末装置にチャネルビジー率（ＣＢＲ）情報及び／又は優先度情報、例えば、各ＳＣＳに対応するＣＢＲ−ＰＰＰＰパラメータを提供した場合、端末装置は現在のＶ２ＸサービスのＰＰＰＰ及び測定したＣＢＲに基づいて、ＰＰＰＰに対応し、且つ測定したＣＢＲ値が提供されるＣＢＲ閾値範囲内にある、又は、測定したＣＢＲ値が提供されるＣＢＲ閾値よりも低いＳＣＳを選択する。
【００５６】
例えば、端末装置に信頼性情報、例えば、各ＳＣＳに対応するＰＰＰＲ閾値を提供した場合、端末装置は現在のＶ２ＸサービスのＰＰＰＲに基づいて、ＰＰＰＲ閾値がＶ２ＸサービスのＰＰＰＲよりも高いＳＣＳを選択する。
【００５７】
例えば、端末装置にレート情報、例えば、各ＳＣＳに対応するＧＢＲ上限を提供した場合、端末装置は現在のＶ２Ｘサービスが要求するレートに基づいて、ＧＢＲ上限がＶ２Ｘサービスレートよりも高いＳＣＳを選択する。
【００５８】
例えば、端末装置に遅延情報、例えば、各ＳＣＳに対応する遅延を提供した場合、端末装置は現在のＶ２Ｘサービスが要求するレートに基づいて、遅延がＶ２Ｘサービス遅延よりも高いＳＣＳを選択する。
【００５９】
例えば、端末装置にＱｏＳ情報、例えば、各ＳＣＳがサポートするＱｏＳパラメータ又はＱｏＳ索引を提供した場合、端末装置は現在のＶ２Ｘサービスが要求するＱｏＳに基づいて、Ｖ２Ｘ  ＱｏＳとマッチしたＳＣＳを選択する。
【００６０】
本実施例では、上述の各通信リソースパラメータに対応する通信リソースの情報についての説明において、通信リソースパラメータがＳＣＳであることを例にとって説明したが、上述の説明は通信リソースパラメータが伝送時間長又はＢＷＰ情報である場合に適用こともできる。
【００６１】
本実施例のステップ５０２において、端末装置に、各通信リソースパラメータに対応する通信リソースのチャネルビジー率（ＣＢＲ）情報及び／又は優先度情報を提供する方式は以下の任意の１つであっても良い。
【００６２】
（１）例えば、端末装置がカバーされ（ｉｎ  ｃｏｖｅｒａｇｅ）、且つＲＲＣ接続（ＲＲＣ＿Ｃｏｎｎｅｃｔｅｄ）モードにあるときに、端末装置送信のＳｉｄｅｌｉｎｋＵＥＩｎｆｏｒｍａｔｉｏｎメッセージはＶ２ＸサービスタイプとＳＣＳとの間のマッピング関係を含んでも良く、ネットワーク装置はＲＲＣ専用メッセージを用いて各ＳＣＳに対応する通信リソースのチャネルビジー率（ＣＢＲ）情報及び／又は優先度情報及び／又は信頼性情報及び／又はレート情報及び／又は遅延情報及び／又はＱｏＳ情報、例えば、ＣＢＲ−ＰＰＰＰパラメータ、ＰＰＰＲパラメータなどを設定しても良い。
【００６３】
（２）例えば、端末装置がカバーされ（ｉｎ  ｃｏｖｅｒａｇｅ）、且つＲＲＣアイドル（ＲＲＣ＿ＩＤＬＥ）モードにあるときに、端末装置はＳｉｄｅｌｉｎｋＵＥＩｎｆｏｒｍａｔｉｏｎメッセージを送信せず、システム情報から各ＳＣＳに対応する通信リソースのチャネルビジー率（ＣＢＲ）情報及び／又は優先度情報及び／又は信頼性情報及び／又はレート情報及び／又は遅延情報及び／又はＱｏＳ情報、例えば、ＣＢＲ−ＰＰＰＰパラメータ、ＰＰＰＲパラメータなどを取得しても良い。
【００６４】
（３）例えば、端末装置がカバーされない（ｏｕｔ  ｏｆ  ｃｏｖｅｒａｇｅ）ときに、端末装置は事前の設定（ｐｒｅ−ｃｏｎｆｉｇｕｒａｔｉｏｎ）から各ＳＣＳに対応する通信リソースのチャネルビジー率（ＣＢＲ）情報及び／又は優先度情報及び／又は信頼性情報及び／又はレート情報及び／又は遅延情報及び／又はＱｏＳ情報、例えば、ＣＢＲ−ＰＰＰＰパラメータ、ＰＰＰＲパラメータなどを得ても良い。
【００６５】
本実施例では、Ｖ２Ｘサービスと通信リソースパラメータとのマッピング関係が端末装置の上位層又はアクセス層（ＡＳ  ｌａｙｅｒ）により確定されるときに、図２に示すように、該方法はさらに以下のステップを含んでも良い。
【００６６】
ステップ２０３：端末装置の上位層又は前記端末装置のアクセス層が前記Ｖ２Ｘサービスのサービス要求に基づいて、前記マッピング関係を確定する。
【００６７】
本実施例では、Ｖ２Ｘサービスと通信リソースパラメータとのマッピング関係を確定するときに、Ｖ２Ｘのサービス要求に基づいて該マッピング関係を確定しても良く、例えば、Ｖ２Ｘサービスが遅延に敏感であるサービスの場合、比較的高いＳＣＳを、それと対応するように選択しても良く、Ｖ２Ｘサービスが遅延に敏感でないサービスの場合、比較的低いＳＣＳを、それと対応するように選択しても良く、また、例えば、Ｖ２Ｘサービスが高信頼性サービスの場合、比較的高いＳＣＳを、それと対応するように選択しても良く、Ｖ２Ｘサービスが低信頼性サービスの場合、比較的低いＳＣＳを、それと対応するように選択しても良く、また、例えば、Ｖ２Ｘサービスが遅延に敏感であるサービスの場合、ｎｏｎ−ｓｌｏｔを、それと対応するように選択しても良く、Ｖ２Ｘサービスが遅延に敏感でないサービスの場合、ｓｌｏｔを、それと対応するように選択しても、また、例えば、Ｖ２Ｘサービスが遅延に敏感であるサービスの場合、比較的高いＳＣＳを有するＢＷＰを、それと対応するように選択しても、Ｖ２Ｘサービスが遅延に敏感でないサービスの場合、比較的低いＳＣＳを有するＢＷＰを、それと対応するように選択しても良い。
【００６８】
本実施例では、ステップ２０３の前に、端末装置にさらに設定情報を提供することにより、ステップ２０３において、端末装置の上位層又は端末装置のアクセス層は前記Ｖ２Ｘサービスのサービス要求及び該設定情報に基づいて該マッピング関係を確定しても良い。
【００６９】
本実施例では、該設定情報は、ＳＣＳ設定情報、及び／又は伝送時間長設定情報、及び／又はＢＷＰ設定情報を含んでも良い。
【００７０】
ＳＣＳ設定情報は、Ｖ２Ｘサービスについての複数の周波数、各周波数上でサポートするＳＣＳ集合、及び／又は、各ＳＣＳの所在するバンド幅などの情報を含んでも良い。
【００７１】
伝送時間長設定情報は、Ｖ２Ｘサービスについての複数の周波数、各周波数上でｓｌｏｔ伝送をサポートするかそれともｎｏｎ−ｓｌｏｔ伝送をサポートするか、及び／又はｎｏｎ−ｓｌｏｔのシンボルの個数を含んでも良い。
【００７２】
ＢＷＰ設定情報は、Ｖ２Ｘサービスについての複数の周波数、各周波数上のＢＷＰの標識（ＩＤ）、及び／又は索引、及び／又はバンド幅、及び／又は使用するＳＣＳ、及び／又はサイクリックプレフィックス（ＣＰ）、及び／又はＰＳＣＣＨ設定、及び／又はＰＳＳＣＨ設定、及び／又はグラント設定（ｃｏｎｆｉｇｕｒｅｄ  ｇｒａｎｔ  ｃｏｎｆｉｇｕｒａｔｉｏｎ）、及び／又はビーム（ｂｅａｍ）関連設定、及び／又はｓｌｏｔ伝送を使用するかそれともｎｏｎ−ｓｌｏｔ伝送を使用するかなどの情報を含んでも良い。
【００７３】
本実施例では、端末装置はネットワーク装置送信の該設定情報を受信しても良い。もう１つの実施方式において、端末装置には該設定情報が事前設定されても良い。また、端末装置は端末装置の上位層が提供する情報に基づいて該設定情報を確定しても良く、又は、事前定義の情報に基づいて該設定情報を確定しても良く、又は、デフォルト設定情報に基づいて上述の設定情報を確定しても良い。
【００７４】
そのうち、デフォルト設定情報に基づいて上述の設定情報を確定することは、例えば、端末装置がＬＴＥ又はＮＲの上りリンク（ＵＬ）キャリアを用いてサイドリンク（ＳＬ）データ送信を行うときに、サービングセルの上りリンク（ＵＬ）ＳＣＳ設定情報及び／又は伝送時間長設定情報及び／又はＢＷＰ設定情報をデフォルトで使用することである。
【００７５】
本実施例では、Ｖ２Ｘサービスと通信リソースパラメータとのマッピング関係はネットワーク装置により確定されても良い。このような場合、端末装置は上述の第一モード又は第二モードにより通信リソースを取得又は選択しても良い。
【００７６】
図６は本実施例の端末装置が第一モードにより通信リソースを得る方法を示す図である。図６に示すように、該方法は以下のステップを含む。
【００７７】
ステップ６０１：端末装置がネットワーク装置にターゲットＶ２Ｘサービスに関する情報を送信し；及び
ステップ６０２：端末装置がネットワーク装置送信の指示情報を受信し、該指示情報は、前記ネットワーク装置が前記Ｖ２Ｘサービスに関する情報及び前記マッピング関係に基づいて確定する通信リソースパラメータに対応する通信リソースを指示するために用いられる。
【００７８】
なお、ステップ６０１とステップ６０２に関する説明が上述のステップ４０２とステップ４０３に関する説明と同じであるため、ここではその詳しい説明を省略する。
【００７９】
図７は本実施例の端末装置が第二モードにより通信リソースを選ぶ方法を示す図である。図７に示すように、該方法は以下のステップを含む。
【００８０】
ステップ７０１：端末装置がネットワーク装置から前記マッピング関係を取得し；
ステップ７０２：端末装置が前記ターゲットＶ２Ｘサービス及び前記マッピング関係に基づいて通信リソースパラメータを確定し、そして、該通信リソースパラメータに対応する通信リソースを選択する。
【００８１】
本実施例のステップ７０１において、端末装置は例えばカバーされる（ｉｎ  ｃｏｖｅｒａｇｅ）状態にあり、これにより、ネットワーク装置から該マッピング関係を得ることができる。
【００８２】
なお、ステップ７０２に関する説明が上述のステップ５０１に関する説明と同じであるから、ここではその詳しい説明を省略する。
【００８３】
本実施例では、図７にはステップ５０３と同じステップがあっても良く、即ち、端末装置に各通信リソースパラメータに対応する通信リソースの情報を提供し、これにより、ステップ７０２において、端末装置は、該ターゲットＶ２Ｘサービス、該マッピング関係、及び該各通信リソースパラメータに対応する通信リソースの情報に基づいて、通信リソースパラメータを確定し、そして、該通信リソースパラメータに対応する通信リソースを選択することができる。
【００８４】
また、本実施例では、端末装置が第一モードにより通信リソースを得るときに、例えば、図４及び図６のように、確定した通信リソースパラメータがＢＷＰ情報であるときに、端末装置はさらにネットワーク装置から該ＢＷＰの索引を含む制御情報を受信しても良く、該制御情報は、サイドリンク（ｓｉｄｅｌｉｎｋ、ＳＬ）上の該ＢＷＰをアクティベートするために用いられる。そのうち、該制御情報は下りリンク制御情報（ＤＣＩ）、例えば、ＤＣＩ  ５Ａであっても良い。
【００８５】
また、本実施例では、端末装置が第二モードにより通信リソースを選択するときに、例えば、図５及び図７のように、確定する必要のある通信リソースパラメータがＢＷＰ情報であるときに、端末装置は以下の方式でＢＷＰ情報を確定することができる。
【００８６】
前記端末装置にＶ２Ｘサービスとサイド接続（ｓｉｄｅｌｉｎｋ、ＳＬ）上で使用し得るＢＷＰとの間のマッピング関係を設定した場合、前記端末装置は前記Ｖ２Ｘサービス及び前記マッピング関係に基づいて通信リソースパラメータとしてのＢＷＰを確定する。
【００８７】
前記端末装置にＶ２Ｘサービスとサイド接続（ｓｉｄｅｌｉｎｋ、ＳＬ）上で使用し得るサブキャリア間隔（ＳＣＳ）との間のマッピング関係及びＢＷＰ設定を設定した場合、前記端末装置は前記Ｖ２Ｘサービス及び前記マッピング関係に基づいてＳＣＳを確定し、そして、確定したＳＣＳに基づいて通信リソースパラメータとしてのＢＷＰを確定し、又は、前記端末装置は前記Ｖ２Ｘサービス及び前記マッピング関係に基づいてＳＣＳを確定し、そして、確定したＳＣＳに基づいて送信プールを選択し、前記送信プールの所在するＢＷＰを通信リソースパラメータとしてのＢＷＰと確定する。
【００８８】
本実施例によれば、自動車通信（Ｖ２Ｘ）サービスと通信リソースパラメータとのマッピング関係に基づいて端末装置の通信リソースを確定することにより、通信リソースがＶ２Ｘサービスの要求を満たすようにさせることができる。
【実施例２】
【００８９】
本実施例２は通信方法を提供し、該方法はネットワーク装置により実行される。
【００９０】
図８は本発明の実施例２における通信方法を示す図である。図８に示すように、該方法は以下のステップを含む。
【００９１】
ステップ８０１：ネットワーク装置が自動車通信（Ｖ２Ｘ）サービスと通信リソースパラメータとのマッピング関係を取得又は確定する。
【００９２】
本実施例のステップ８０１では、１つの実施方式において、ネットワーク装置は端末装置から該端末装置が確定する該マッピング関係を受信することができ、例えば、前記ネットワーク装置は無線リソース制御（ＲＲＣ）メッセージにより前記端末装置から前記Ｖ２Ｘサービスと前記通信リソースパラメータとのマッピング関係を受信することができる。もう１つの実施方式において、該ネットワーク装置は該マッピング関係を確定することができ、例えば、該ネットワーク装置はＶ２Ｘサービスのサービス要求に基づいて、該マッピング関係を確定することができる。
【００９３】
本実施例では、通信リソースパラメータは次のパラメータのうちの少なくとも１つを含んでも良く、即ち、サブキャリア間隔（Ｓｕｂｃａｒｒｉｅｒ  ｓｐａｃｉｎｇ、ＳＣＳ）、伝送ブロックの伝送時間長、バンド幅部分（Ｂａｎｄｗｉｄｔｈ  ｐａｒｔ、ＢＷＰ）の情報である。
【００９４】
本実施例では、Ｖ２Ｘサービスと通信リソースパラメータとのマッピング関係は、前記Ｖ２Ｘサービスのサービスタイプと前記通信リソースパラメータとのマッピング関係、又は、前記Ｖ２Ｘサービスのサービス属性と前記通信リソースパラメータとのマッピング関係を含む。
【００９５】
本実施例では、前記Ｖ２Ｘサービスのサービスタイプは次の少なくとも１つであり、即ち、安全サービス又は非安全サービス、周期メッセージ又はイベントトリガーのメッセージ、ＣＡＭメッセージ（Ｃｏｍｍｏｎ  Ａｗａｒｅｎｅｓｓ  Ｍｅｓｓａｇｅｓ）又はＤＥＮＭメッセージ（Ｄｅｃｅｎｔｒａｌｉｓｅｄ  Ｅｎｖｉｒｏｎｍｅｎｔａｌ  Ｎｏｔｉｆｉｃａｔｉｏｎ  Ｍｅｓｓａｇｅｓ）又はＢＳＭ（Ｂａｓｉｃ  Ｓａｆｅｔｙ  Ｍｅｓｓａｇｅ）である。
【００９６】
本実施例では、前記Ｖ２Ｘサービスのサービス属性は次の少なくとも１つであり、即ち、Ｖ２Ｘサービスの優先度、Ｖ２Ｘサービスの信頼性、Ｖ２Ｘサービスの遅延、Ｖ２Ｘサービスのサービス品質レベルである。
【００９７】
本実施例では、図８に示すように、該方法はさらに以下のステップを含んでも良い。
【００９８】
ステップ８０２：ネットワーク装置が前記端末装置から前記端末装置のターゲットＶ２Ｘサービスに関する情報を受信し；
ステップ８０３：ネットワーク装置が前記ターゲットＶ２Ｘサービスに関する情報、及び前記マッピング関係に基づいて通信リソースパラメータを確定し、そして、前記通信リソースパラメータに対応する通信リソースを確定し；及び
ステップ８０４：ネットワーク装置が端末装置に前記通信リソース指示用の指示情報を送信する。
【００９９】
ステップ８０２乃至ステップ８０４により、端末装置が第一モードにより通信リソースを得るようにさせることができる。
【０１００】
また、第一モードの下で、確定した通信リソースパラメータがＢＷＰであるときに、ネットワーク装置は端末装置に該ＢＷＰの索引を含む制御情報を送信し、制御情報はサイド接続（ｓｉｄｅｌｉｎｋ、ＳＬ）上の該ＢＷＰをアクティベートするために用いられる。
【０１０１】
本実施例では、ネットワーク装置がその確定した該マッピング関係を端末装置に送信し、これにより、端末装置は第二モードにより通信リソースを選択することができる。
【０１０２】
また、該第二モードの下で、ネットワーク装置がさらに端末装置に各通信リソースパラメータに対応する通信リソースの情報を送信し、これにより、端末装置は該情報を参考にして通信リソースを選択することができる。
【０１０３】
本実施例では、ネットワーク装置がさらに端末装置に設定情報を提供することができ、それは、通信リソースパラメータに対して設定を行うことで該マッピング関係を確定するために用いられる。これにより、端末装置は該通信リソースパラメータの設定情報に基づいて該マッピング関係を確定することができる。
【０１０４】
本実施例によれば、自動車通信（Ｖ２Ｘ）サービスと通信リソースパラメータとのマッピング関係に基づいて端末装置の通信リソースを確定することにより、通信リソースがＶ２Ｘサービスの要求を満足するようにさせることができる。
【実施例３】
【０１０５】
本実施例３は通信装置を提供し、それは端末装置に設置される。該装置が問題を解決する原理が実施例１の方法と類似したから、その具体的な実施については実施例１の方法の実施を参照することができ、ここでは内容が同じである重複説明が省略される。
【０１０６】
図９は本実施例３における通信装置を示す図である。図９に示すように、装置９００は第一取得ユニット９０１及び通信ユニット９０２を含む。そのうち、第一取得ユニット９０１は、自動車通信（Ｖ２Ｘ）サービスと通信リソースパラメータとのマッピング関係に基づいて確定する通信リソースを取得又は選択し；通信ユニット９０２は、前記通信リソースを使用してターゲットＶ２Ｘサービスを送信する。
【０１０７】
本実施例では、第一取得ユニット９０１は、第一モード又は第二モードにより、通信リソースを取得又は選択することができる。
【０１０８】
本実施例では、通信リソースパラメータは次のパラメータのうちの少なくとも１つを含み、サブキャリア間隔（Ｓｕｂｃａｒｒｉｅｒ  ｓｐａｃｉｎｇ、ＳＣＳ）、伝送ブロックの伝送時間長、バンド幅部分（Ｂａｎｄｗｉｄｔｈ  ｐａｒｔ、ＢＷＰ）の情報である。
【０１０９】
本実施例では、前記Ｖ２Ｘサービスと前記通信リソースパラメータとのマッピング関係は、前記Ｖ２Ｘサービスのサービスタイプと前記通信リソースパラメータとのマッピング関係、及び／又は、前記Ｖ２Ｘサービスのサービス属性と前記通信リソースパラメータとのマッピング関係を含む。
【０１１０】
本実施例では、前記Ｖ２Ｘサービスのサービスタイプは次の少なくとも１つであり、即ち、安全サービス又は非安全サービス、周期メッセージ又はイベントトリガーのメッセージ、公共アウェアネスメッセージ（Ｃｏｍｍｏｎ  Ａｗａｒｅｎｅｓｓ  Ｍｅｓｓａｇｅｓ、  ＣＡＭ）又は分散型環境通知メッセージ（Ｄｅｃｅｎｔｒａｌｉｓｅｄ  Ｅｎｖｉｒｏｎｍｅｎｔａｌ  Ｎｏｔｉｆｉｃａｔｉｏｎ  Ｍｅｓｓａｇｅｓ、ＤＥＮＭ）又は基本安全メッセージ（Ｂａｓｉｃ  Ｓａｆｅｔｙ  Ｍｅｓｓａｇｅ、ＢＳＭ）である。
【０１１１】
本実施例では、前記Ｖ２Ｘサービスのサービス属性は次の少なくとも１つのであり、即ち、Ｖ２Ｘサービスの優先度、Ｖ２Ｘサービスの信頼性、Ｖ２Ｘサービスの遅延、Ｖ２Ｘサービスのサービス品質レベルである。
【０１１２】
本実施例では、Ｖ２Ｘサービスと前記通信リソースパラメータとのマッピング関係は、前記端末装置の上位層により確定され又は前記端末装置のアクセス層（ＡＳ  ｌａｙｅｒ）により確定される。
【０１１３】
この場合、第一取得ユニット９０１は第一モードにより通信リソースを取得し、例えば、ネットワーク装置に前記ターゲットＶ２Ｘサービスに関する情報を送信し、前記ネットワーク装置送信の指示情報を受信し、前記指示情報は、前記ネットワーク装置が前記ターゲットＶ２Ｘサービスに関する情報及び前記マッピング関係に基づいて確定する通信リソースパラメータに対応する通信リソースを指示するために用いられる。
【０１１４】
本実施例では、Ｖ２Ｘサービスと前記通信リソースパラメータとのマッピング関係は前記通信装置により前記ネットワーク装置に送信され、例えば、前記Ｖ２Ｘサービスと前記通信リソースパラメータとのマッピング関係は無線リソース制御（ＲＲＣ）メッセージにより前記ネットワーク装置に送信され得る。
【０１１５】
この場合、第一取得ユニット９０１は第二モードにより通信リソースを取得し、例えば、第一取得ユニット９０１は、前記ターゲットＶ２Ｘサービス及び前記マッピング関係に基づいて通信リソースパラメータを確定し、そして、該通信リソースパラメータに対応する通信リソースを選択する。
【０１１６】
また、第一取得ユニット９０１にはさらに各通信リソースパラメータに対応する通信リソースの情報が提供されても良く、そのうち、第一取得ユニット９０１は前記ターゲットＶ２Ｘサービス、前記マッピング関係、及び各通信リソースパラメータに対応する通信リソースの情報に基づいて、通信リソースパラメータを確定し、そして、通信リソースパラメータに対応する通信リソースを選択する。
【０１１７】
図９に示すように、該装置９００はさらにマッピング関係確定ユニット９０３を含み、それは、前記端末装置の上位層又は前記端末装置のアクセス層が前記Ｖ２Ｘサービスのサービス要求に基づいて前記マッピング関係を確定するように制御する。
【０１１８】
本実施例では、Ｖ２Ｘサービスと前記通信リソースパラメータとのマッピング関係はネットワーク装置により確定される。
【０１１９】
この場合、前記第一取得ユニット９０１は第一モードにより通信リソースを取得し、例えば、ネットワーク装置に前記ターゲットＶ２Ｘサービスに関する情報を送信し、そして、前記ネットワーク装置送信の指示情報を受信し、前記指示情報は前記ネットワーク装置が前記ターゲットＶ２Ｘサービスに関する情報及び前記マッピング関係に基づいて確定する通信リソースパラメータに対応する通信リソースを指示するために用いられる。
【０１２０】
また、第一取得ユニット９０１は第二モードにより通信リソースを選択しても良く、例えば、前記ネットワーク装置から前記マッピング関係を取得し、前記ターゲットＶ２Ｘサービス及び前記マッピング関係に基づいて、通信リソースパラメータを確定し、そして、該通信リソースパラメータに対応する通信リソースを選択する。
【０１２１】
また、本実施例では、確定した通信リソースパラメータがＢＷＰ情報であるときに、前記通信装置はさらに前記ネットワーク装置から該ＢＷＰの索引を含む制御情報を受信し、前記制御情報はサイドリンク（ｓｉｄｅｌｉｎｋ、ＳＬ）上の該ＢＷＰをアクティベートするために用いられる。
【０１２２】
また、第二モードの下で、前記端末装置にＶ２Ｘサービスとサイド接続（ｓｉｄｅｌｉｎｋ、ＳＬ）上で使用し得るＢＷＰとの間のマッピング関係を設定した場合、第一取得ユニット９０１は前記Ｖ２Ｘサービス及び前記マッピング関係に基づいて通信リソースパラメータとしてのＢＷＰを確定することができる。
【０１２３】
また、第二モードの下で、前記端末装置にＶ２Ｘサービスとサイド接続（ｓｉｄｅｌｉｎｋ、ＳＬ）上で使用し得るサブキャリア間隔（ＳＣＳ）との間のマッピング関係及びＢＷＰ設定を設定した場合、第一取得ユニット９０１は前記Ｖ２Ｘサービス及び前記マッピング関係に基づいてＳＣＳを確定し、そして、確定したＳＣＳに基づいて通信リソースパラメータとしてのＢＷＰを確定し、又は、前記第一取得ユニット９０１は前記Ｖ２Ｘサービス及び前記マッピング関係に基づいてＳＣＳを確定し、そして、確定したＳＣＳに基づいて送信プールを選択し、前記送信プールの所在するＢＷＰを通信リソースパラメータとしてのＢＷＰと確定することができる。
【０１２４】
なお、通信装置９００の各ユニットのワーキング原理については、実施例１の各ステップの説明を参照することができる。
【０１２５】
本実施例によれば、自動車通信（Ｖ２Ｘ）サービスと通信リソースパラメータとのマッピング関係に基づいて端末装置の通信リソースを確定することができ、これにより、通信リソースがＶ２Ｘサービスの要求を満足するようにさせることができる。
【実施例４】
【０１２６】
本実施例４は通信装置を提供し、それはネットワーク装置に設置される。該装置が問題を解決する原理が実施例２の方法と類似したので、その具体的な実施については、実施例２の方法の実施を参照することができ、ここでは、内容が同じである重複説明が省略される。
【０１２７】
図１０は本実施例４の通信装置を示す図である。図１０に示すように、装置１０００は、第二取得ユニット１００１を含み、それは、自動車通信（Ｖ２Ｘ）サービスと通信リソースパラメータとのマッピング関係を取得又は確定するために用いられる。
【０１２８】
本実施例では、通信リソースパラメータは次のパラメータのうちの少なくとも１つを含み、即ち、サブキャリア間隔（Ｓｕｂｃａｒｒｉｅｒ  ｓｐａｃｉｎｇ、ＳＣＳ）、伝送ブロックの伝送時間長、バンド幅部分（Ｂａｎｄｗｉｄｔｈ  ｐａｒｔ、ＢＷＰ）の情報である。
【０１２９】
本実施例では、前記Ｖ２Ｘサービスと前記通信リソースパラメータとのマッピング関係は、前記Ｖ２Ｘサービスのサービスタイプと前記通信リソースパラメータとのマッピング関係、及び／又は、前記Ｖ２Ｘサービスのサービス属性と前記通信リソースパラメータとのマッピング関係を含む。
【０１３０】
本実施例では、前記Ｖ２Ｘサービスのサービスタイプは次の少なくとも１つであり、即ち、安全サービス又は非安全サービス、周期メッセージ又はイベントトリガーのメッセージ、公共アウェアネスメッセージ（Ｃｏｍｍｏｎ  Ａｗａｒｅｎｅｓｓ  Ｍｅｓｓａｇｅｓ、  ＣＡＭ）又は分散型環境通知メッセージ（Ｄｅｃｅｎｔｒａｌｉｓｅｄ  Ｅｎｖｉｒｏｎｍｅｎｔａｌ  Ｎｏｔｉｆｉｃａｔｉｏｎ  Ｍｅｓｓａｇｅｓ、ＤＥＮＭ）又は基本安全メッセージ（Ｂａｓｉｃ  Ｓａｆｅｔｙ  Ｍｅｓｓａｇｅ、ＢＳＭ）である。
【０１３１】
本実施例では、前記Ｖ２Ｘサービスのサービス属性は次の少なくとも１つであり、即ち、Ｖ２Ｘサービスの優先度、Ｖ２Ｘサービスの信頼性、Ｖ２Ｘサービスの遅延、Ｖ２Ｘサービスのサービス品質レベルである。
【０１３２】
第二取得ユニット１００１は無線リソース制御（ＲＲＣ）メッセージにより前記端末装置から前記Ｖ２Ｘサービスと前記通信リソースパラメータとのマッピング関係を受信し、又は、第二取得ユニット１００１は該マッピング関係を確定することができる。
【０１３３】
図１０に示すように、前記装置１０００はさらに以下のものを含んでも良い。
【０１３４】
受信ユニット１００２：前記端末装置から前記端末装置のターゲットＶ２Ｘサービスに関する情報を受信し；
確定ユニット１００３：前記ターゲットＶ２Ｘサービスに関する情報、及び前記マッピング関係に基づいて通信リソースパラメータを確定し、そして、前記通信リソースパラメータに対応する通信リソースを確定し；
送信ユニット１００４：前記端末装置に前記通信リソースを指示するための指示情報を送信する。
【０１３５】
本実施例では、通信装置１０００は端末装置に各通信リソースパラメータに対応する通信リソースの情報を送信する。
【０１３６】
本実施例では、通信装置１０００はさらに端末装置に前記マッピング関係を確定するための設定情報を送信することができる。
【０１３７】
本実施例では、通信装置１０００はさらに前記端末装置に前記マッピング関係を送信することができる。
【０１３８】
本実施例では、確定した通信リソースパラメータがＢＷＰであるときに、前記送信ユニット１００４は前記端末装置に該ＢＷＰの索引を含む制御情報を送信し、前記制御情報はサイド接続（ｓｉｄｅｌｉｎｋ、ＳＬ）上の該ＢＷＰをアクティベートする。
【０１３９】
なお、各ユニットに関する説明については、実施例２の中の各ステップに関する説明を参照することができる。
【０１４０】
本実施例によれば、自動車通信（Ｖ２Ｘ）サービスと通信リソースパラメータとのマッピング関係に基づいて端末装置の通信リソースを確定することができ、これにより、通信リソースがＶ２Ｘサービスの要求を満たすようにさせることができる。
【実施例５】
【０１４１】
本実施例５は端末装置を提供し、該装置が問題を解決する原理が実施例１の方法と類似したから、その具体的な実施については実施例１の方法の実施を参照することができ、ここでは、内容が同じである重複説明を省略される。
【０１４２】
図１１は本発明の実施例における端末装置の構成図である。図１１に示すように、端末装置１１００は中央処理器（ＣＰＵ）１１０１及び記憶器１１０２を含んでも良く、記憶器１１０２は中央処理器１１０１に接続される。そのうち、該記憶器１１０２は各種のデータを記憶することができ、また、データ処理用のプログラムを記憶し、且つ中央処理器１１０１の制御下で該プログラムを実行することで、受信したシグナリングに基づいて端末装置に対して指示を行うことができる。
【０１４３】
１つの実施方式において、実施例３の装置９００の機能が端末装置１１００の中央処理器１１０１に統合されても良い。そのうち、中央処理器１１０１は実施例１に記載の通信方法を実現するように構成されても良い。
【０１４４】
例えば、中央処理器１１０１は制御を行って、端末装置１１００に実施例１の方法を実行させるように構成されても良い。
【０１４５】
また、該中央処理器１１０１の他の設定方式については実施例１を参照することができ、ここではその詳しい説明を省略する。
【０１４６】
もう１つの実施方式において、上述の装置９００が中央処理器１１０１と別々で設定されても良く、例えば、装置９００を、中央処理器１１０１と接続されるチップとして構成し、図１１に示すユニットのように、中央処理器１１０１の制御により装置９００の機能を実現しても良い。
【０１４７】
本実施例によれば、自動車通信（Ｖ２Ｘ）サービスと通信リソースパラメータとのマッピング関係に基づいて端末装置の通信リソースを確定することができ、これにより、通信リソースがＶ２Ｘサービスの要求を満たすようにさせることができる。
【実施例６】
【０１４８】
本実施例６はネットワーク装置を提供し、該装置が問題を解決する原理が実施例２の方法と類似したので、その具体的な実施については実施例２の方法の実施を参照することができ、ここでは内容が同じである重複説明が省略される。
【０１４９】
図１２は本発明の実施例におけるネットワーク装置の構成図である。図１２に示すように、ネットワーク装置１２００は中央処理器（ＣＰＵ）１２０１及び記憶器１２０２を含んでも良く、記憶器１２０２は中央処理器１２０１に接続される。そのうち、該記憶器１２０２は各種のデータを記憶することができ、また、データ処理用のプログラムを記憶し、且つ中央処理器１２０１の制御下で該プログラムを実行することもできる。
【０１５０】
１つの実施方式において、装置１０００の機能が中央処理器１２０１に集積されても良い。そのうち、中央処理器１２０１は、実施例２の通信方法を実現するように構成されても良い。
【０１５１】
例えば、中央処理器１２０１は制御を行って、ネットワーク装置１２００に実施例２の方法を実行させるように構成されても良い。
【０１５２】
また、該中央処理器１２０１の他の設定方式については実施例２を参照することができ、ここではその詳しい説明を省略する。
【０１５３】
もう１つの実施方式において、上述の装置１０００が中央処理器１２０１と別々で設定されても良く、例えば、装置１０００を、中央処理器１２０１に接続されるチップとして構成し、図１２に示すユニットのように、中央処理器１２０１の制御により装置１０００の機能を実現しても良い。
【０１５４】
また、図１２に示すように、ネットワーク装置１２００はさらに送受信機１２０３、アンテナ１２０４などを含んでも良く、そのうち、これらの部品の機能が従来技術と同様であるから、ここではその詳しい説明を省略する。なお、ネットワーク装置１２００は図１２に示すすべての部品を含む必要がない。また、ネットワーク装置１２００はさらに図１２に無い部品を含んでも良い。これについては従来技術を参照することができる。
【０１５５】
本実施例によれば、自動車通信（Ｖ２Ｘ）サービスと通信リソースパラメータとのマッピング関係に基づいて端末装置の通信リソースを解決することができ、これにより、通信リソースがＶ２Ｘサービスの要求を満足するようにさせることができる。
【実施例７】
【０１５６】
本実施例７は通信システムを提供し、それは少なくとも実施例５の端末装置１１００及び実施例６のネットワーク装置１２００を含む。なお、実施例５及び実施例６の内容はここに合併され、ここではその詳しい説明を省略する。
【０１５７】
以下、具体例をもとに、本発明による通信システムが通信リソースを確定するワーキング原理を説明する。
【０１５８】
以下の各例において、通信リソースパラメータはＳＣＳを例にとる。なお、通信リソースパラメータが他のパラメータであるときに、例えば、通信リソースパラメータが伝送時間長又はＢＷＰ情報であるときに、該例を参照することができる。本発明の端末装置１１００は各例の中のＵＥ１に対応することができ、本発明のネットワーク装置１２００は各例の中のｇＮＢに対応することができる。また、各例の中のＵＥ２は、確定された通信リソースによって、ＵＥ１が送信するＶ２Ｘサービスを受信する端末装置であっても良い。
【０１５９】
図１３は本実施例における通信システムの１つ実例のワークフローである。図１３では、Ｖ２Ｘサービスのサービスタイプと通信リソースパラメータとのマッピング関係がＵＥ１の上位層によりＵＥ１のアクセス層に提供され、ＵＥ１は第一モードにより通信リソースを取得する。
【０１６０】
図１３に示すように、該ワークフローは以下の通りである。
【０１６１】
１３０１：ＵＥ１の上位層がＶ２Ｘサービスタイプと通信リソースパラメータとのマッピング関係をアクセス層に提供し；
１３０２：ＵＥ１がｇＮＢに情報としてのＳｉｄｅｌｉｎｋＵＥＩｎｆｏｒｍａｔｉｏｎを送信し、該情報には該マッピング関係が含まれ；
１３０３：ＵＥ１がｇＮＢにＳｉｄｅｌｉｎｋ  ＢＳＲを送信し、その中にはターゲット索引（ｄｅｓｔｉｎａｔｉｏｎ  ｉｎｄｅｘ）が含まれ、該ターゲット索引はターゲットＶ２Ｘサービスのサービスタイプを指示することができ；
１３０４：ｇＮＢがターゲット索引に基づいてターゲットＶ２Ｘサービスのサービスタイプを確定し、そして、該ターゲットＶ２Ｘサービスのサービスタイプ及びマッピング関係に基づいて、ＳＣＳを確定し；
１３０５：ｇＮＢが指示情報をＵＥ１に送信し、該指示情報はＳＣＳに対応する通信リソースを指示するために用いられ；
１３０６：ＵＥ１が該通信リソースを用いてＵＥ２にターゲットＶ２Ｘサービスを送信する。
【０１６２】
図１４は本実施例における通信システムの１つの例のワークフローである。図１４では、Ｖ２Ｘサービスのサービス属性と通信リソースパラメータとのマッピング関係がＵＥ１の上位層によりＵＥ１のアクセス層に提供され、ＵＥ１は第一モードにより通信リソースを取得する。
【０１６３】
図１４に示すように、該ワークフローは以下の通りである。
【０１６４】
１４０１：ＵＥ１の上位層がＶ２Ｘサービスタイプと通信リソースパラメータとのマッピング関係をアクセス層に提供し；
１４０２：ＵＥ１がｇＮＢに情報ＳｉｄｅｌｉｎｋＵＥＩｎｆｏｒｍａｔｉｏｎを送信し、該情報には該マッピング関係が含まれ；
１４０３：ｇＮＢがＵＥ１にロジックチャネル組（ＬＣＧ）とＶ２Ｘサービス属性との対応関係を設定し；
１４０４：ＵＥ１がｇＮＢにＳｉｄｅｌｉｎｋ  ＢＳＲを送信し、その中にはロジックチャネル組の標識が含まれ；
１４０５：ｇＮＢが該ロジックチャネル組の標識に基づいてターゲットＶ２Ｘサービスのサービス属性を確定し、該ターゲットＶ２Ｘサービスのサービス属性及びマッピング関係に基づいてＳＣＳを確定し；
１４０６及び１４０７はそれぞれ１３０５及び１３０６と同じである。
【０１６５】
図１５は本実施例における通信システムの１つの例のワークフローである。図１５では、Ｖ２Ｘサービスのサービスタイプと通信リソースパラメータとのマッピング関係がＵＥ１の上位層によりＵＥ１のアクセス層に提供され、ＵＥ１は第二モードにより通信リソースを選択する。
【０１６６】
図１５に示すように、該ワークフローは以下の通りである。
【０１６７】
１５０１：ＵＥ１の上位層がＶ２Ｘサービスタイプと通信リソースパラメータとのマッピング関係をアクセス層に提供し；
１５０２：ＵＥ１がｇＮＢに情報ＳｉｄｅｌｉｎｋＵＥＩｎｆｏｒｍａｔｉｏｎを送信し、該情報には該マッピング関係が含まれ；
１５０３：ｇＮＢがＵＥ１に各ＳＣＳに対応する通信リソースのチャネルビジー率（ＣＢＲ）情報及び／又は優先度情報、例えば、ＣＢＲ−ＰＰＰＰパラメータを設定し；
１５０４：ＵＥ１に各ＳＣＳに対応する通信リソースのチャネルビジー率（ＣＢＲ）情報及び／又は優先度情報、例えば、ＣＢＲ−ＰＰＰＰパラメータを事前設定し；
１５０５：ＵＥ１がマッピング関係及びターゲットＶ２Ｘサービスのサービスタイプに基づいてＳＣＳを確定し、そして、ＣＢＲ−ＰＰＰＰパラメータをさらに用いて通信リソースを選択し、例えば、ＰＰＰＰに対応し且つ測定したＣＢＲ値が設定されるＣＢＲ閾値よりも低いＳＣＳに対応する通信リソースを選択し；
１５０６：ＵＥ１が該通信リソースを使用してＵＥ２にターゲットＶ２Ｘサービスを送信する。
【０１６８】
図１５の例では、ステップ１５０２、１５０３及び１５０４は選択可能なステップであり、これらのステップにより、ＵＥ１にチャネルビジー率（ＣＢＲ）情報及び／又は優先度情報を設定することができる。例えば、以下の通りである。
【０１６９】
（１）ステップ１５０２及び１５０３により、ｇＮＢがＵＥ１にＣＢＲ−ＰＰＰＰパラメータを設定し、例えば、ＵＥ１がカバーされ（ｉｎ  ｃｏｖｅｒａｇｅ）且つＲＲＣ接続（ＲＲＣ＿Ｃｏｎｎｅｃｔｅｄ）モードにあるときに、ＵＥ１送信のＳｉｄｅｌｉｎｋＵＥＩｎｆｏｒｍａｔｉｏｎメッセージはＶ２ＸサービスタイプとＳＣＳと間のマッピング関係を含んでも良く、ｇＮＢはＲＲＣ専用メッセージを用いて各ＳＣＳに対応する通信リソースのチャネルビジー率（ＣＢＲ）情報及び／又は優先度情報、例えば、ＣＢＲ−ＰＰＰＰパラメータを設定することができる。
【０１７０】
（２）ステップ１５０３により、ｇＮＢがＵＥ１にＣＢＲ−ＰＰＰＰパラメータを設定し、例えば、ＵＥ１がカバーされ（ｉｎ  ｃｏｖｅｒａｇｅ）且つＲＲＣアイドル（ＲＲＣ＿ＩＤＬＥ）モードにあるときに、ＵＥ１はＳｉｄｅｌｉｎｋＵＥＩｎｆｏｒｍａｔｉｏｎメッセージを送信せず、ＵＥ１はシステム情報から各ＳＣＳに対応する通信リソースのチャネルビジー率（ＣＢＲ）情報及び／又は優先度情報、例えば、ＣＢＲ−ＰＰＰＰパラメータを取得することができる。
【０１７１】
（３）ステップ１５０４により、ＵＥ１にＣＢＲ−ＰＰＰＰパラメータを事前設定し、例えば、ＵＥ１がカバーされない（ｏｕｔ  ｏｆ  ｃｏｖｅｒａｇｅ）ときに、ＵＥ１は事前の設定（ｐｒｅ−ｃｏｎｆｉｇｕｒａｔｉｏｎ）から各ＳＣＳに対応する通信リソースのチャネルビジー率（ＣＢＲ）情報及び／又は優先度情報、例えば、ＣＢＲ−ＰＰＰＰパラメータを得ることができる。
【０１７２】
また、１５０２、１５０３及び１５０４が出現しなくても良く、これにより、１５０５において、ＵＥ１は、ＣＢＲ−ＰＰＰＰパラメータを考慮せず、マッピング関係及びターゲットＶ２Ｘサービスのサービスタイプに基づいてＳＣＳを確定し、通信リソースを選択することができる。
【０１７３】
図１６は本実施例における通信システムの１つの例のワークフローである。図１６では、Ｖ２Ｘサービスのサービスタイプと通信リソースパラメータとのマッピング関係がＵＥ１のアクセス層により確定され、ＵＥ１は第一モードにより通信リソースを取得する。
【０１７４】
図１６に示すように、該ワークフローは以下の通りである。
【０１７５】
１６０１：ＵＥ１のアクセス層がＶ２Ｘサービスタイプと通信リソースパラメータとのマッピング関係を確定し；
１６０２〜１６０６はそれぞれ１３０２〜１３０６と同じである。
【０１７６】
図１６に示すように、該ワークフローはさらに以下のステップを含んでも良い。
【０１７７】
１６０７：ｇＮＢがＵＥ１に通信リソースパラメータの設定情報、例えば、サイドリンクのためのＳＣＳ設定情報（ＳＣＳ  ｃｏｎｆｉｇｕｒａｔｉｏｎ  ｆｏｒ  ＳＬ）を提供し；
１６０８：ＵＥ１に該通信リソースパラメータの設定情報が事前設定される。
【０１７８】
そのうち、１６０７及び１６０８はオプションである。そのうち、ＳＣＳ  ｃｏｎｆｉｇｕｒａｔｉｏｎ  ｆｏｒ  ＳＬは、ｇＮＢにより専用シグナリング又はブロードキャストシグナリングを用いて設定されも良く（１６０７に示すように）、事前設定されても良く（１６０８に示すように）、又は、設定されず、ＵＥ１によりデフォルトの一組のＳＣＳｓが選択されても良い。
【０１７９】
図１７は本実施例における通信システムの１つの例のワークフローである。図１７では、Ｖ２Ｘサービスのサービスタイプと通信リソースパラメータとのマッピング関係がＵＥ１のアクセス層により確定され、ＵＥ１は第二モードにより通信リソースを得る。
【０１８０】
図１７に示すように、該ワークフローは以下の通りである。
【０１８１】
１７０１：ＵＥ１アクセス層がＶ２Ｘサービスタイプと通信リソースパラメータとのマッピング関係を確定する。
【０１８２】
１７０２〜１７０６はそれぞれ１５０２〜１５０６と同じでる。
【０１８３】
図１７に示すように、１７０７及び１７０８は選択可能なステップである。１７０７及び１７０８の説明については、上述の１６０７及び１６０８についての説明を参照することができる。
【０１８４】
図１８は本実施例における通信システムの１つの例のワークフローである。図１８では、Ｖ２Ｘサービスのサービス属性と通信リソースパラメータとのマッピング関係がｇＮＢにより確定され、ＵＥ１は第一モードにより通信リソースを取得する。
【０１８５】
図１８に示すように、該ワークフローは以下の通りである。
【０１８６】
１８０１：ｇＮＢがＵＥ１にロジックチャネル組（ＬＣＧ）とＶ２Ｘサービス属性との対応関係を設定し、図１４の１４０３と同じであり；
１８０２：ＵＥ１がｇＮＢにＳｉｄｅｌｉｎｋ  ＢＳＲを送信し、その中にはロジックチャネル組の標識が含まれ、図１４の１４０３と同じであり；
１８０３：ｇＮＢが該ロジックチャネル組の標識に基づいてターゲットＶ２Ｘサービスのサービス属性を確定し、そして、該ターゲットＶ２Ｘサービスのサービス属性及びマッピング関係に基づいてＳＣＳを確定し、図１４の１４０５と同じである。
【０１８７】
１８０４及び１８０５はそれぞれ１４０６及び１４０７と同じである。
【０１８８】
図１９は本実施例における通信システムの１つの例のワークフローである。図１９では、Ｖ２Ｘサービスのサービス属性と通信リソースパラメータとのマッピング関係がｇＮＢにより確定され、ＵＥ１は第二モードにより通信リソースを選択する。
【０１８９】
図１９に示すように、該ワークフローは以下の通りである。
【０１９０】
１９０１：ｇＮＢがサービス属性と通信リソースパラメータとのマッピング関係をアクセス層に提供し；
１９０２：ＵＥ１が該マッピング関係に基づいて通信リソースを選択し；
１９０３：ＵＥ１が該通信リソースを用いてＵＥ２にターゲットＶ２Ｘサービスを送信する。
【０１９１】
また、図１９は選択可能な１９０３及び／又は１９０４を有しても良い。
【０１９２】
１９０４：ｇＮＢがＵＥ１に各ＳＣＳに対応する通信リソースのチャネルビジー率（ＣＢＲ）情報及び／又は優先度情報、例えば、ＣＢＲ−ＰＰＰＰパラメータを設定し、図１５の１５０３と同じであり；
１９０５：ｇＮＢがＵＥ１に通信リソースパラメータの設定情報、例えば、サイドリンクのためのＳＣＳ設定情報（ＳＣＳ  ｃｏｎｆｉｇｕｒａｔｉｏｎ  ｆｏｒ  ＳＬ）を提供し、図１６の１６０７と同じである。
【０１９３】
本実施例によれば、自動車通信（Ｖ２Ｘ）サービスと通信リソースパラメータとのマッピング関係に基づいて端末装置の通信リソースを確定することができ、これにより、通信リソースがＶ２Ｘサービスの要求を満たすようにさせることができる。
【０１９４】
本発明の実施例はさらにコンピュータ可読プログラムを記憶した記憶媒体を提供し、そのうち、該コンピュータ可読プログラムは通信装置又は端末装置に実施例１に記載の通信方法を実行させる。
【０１９５】
本発明の実施例はさらにコンピュータ可読プログラムを提供し、そのうち、通信装置又は端末装置の中で該プログラムを実行するときに、該プログラムは該通信装置又は端末装置に実施例１の通信方法を実行させる。
【０１９６】
本発明の実施例はさらにコンピュータ可読プログラムを記憶した記憶媒体を提供し、そのうち、該コンピュータ可読プログラムは通信装置又はネットワーク装置に実施例２の通信方法を実行させる。
【０１９７】
本発明の実施例はさらにコンピュータ可読プログラムを提供し、そのうち、通信装置又はネットワーク装置の中で該プログラムを実行するときに、該プログラムは通信装置又はネットワーク装置に実施例２に記載の通信方法を実行させる。
【０１９８】
また、上述の装置及び方法は、ソフトウェア又はハードウェアにより実現されても良く、ハードウェアとソフトウェアとの組み合わせにより実現されても良い。本発明は、さらに、下記のようなコンピュータ読み取り可能なプログラムに関し、即ち、該プログラムは、ロジック部品により実行されるときに、該ロジック部品に、上述の装置又は構成部品を実現させ、又は、該ロジック部品に、上述の各種の方法又はステップを実現させる。ロジック部品は、例えば、ＦＰＧＡ（Ｆｉｅｌｄ  Ｐｒｏｇｒａｍｍａｂｌｅ  Ｇａｔｅ  Ａｒｒａｙ）、マイクロプロセッサ、コンピュータに用いる処理器などであっても良い。本発明は、さらに、上述のプログラムを記憶した記憶媒体、例えば、ハードディスク、磁気ディスク、光ハードディスク、ＤＶＤ、フラッシュメモリなどにも関する。
【０１９９】
さらに、図面に記載の機能ブロックのうちの１つ又は複数の組み合わせ及び／又は機能ブロックの１つ又は複数の組み合わせは、本明細書に記載の機能を実行するための汎用処理器、デジタル信号処理器（ＤＳＰ）、特定用途向け集積回路（ＡＳＩＣ）、フィールドプログラマブルゲートアレイ（ＦＰＧＡ）又は他のプログラム可能な論理部品、ディスクリートゲート又はトランジスタ論理部品、ディスクリートハードウェアアセンブリ又は他の任意の適切な組む合わせとして実現されても良い。また、図面に記載の機能ブロックのうちの１つ又は複数の組み合わせ及び／又は機能ブロックの１つ又は複数の組み合わせは、さらに、計算装置の組み合わせ、例えば、ＤＳＰ及びマイクロプロセッサの組み合わせ、複数のマイクロプロセッサ、ＤＳＰと通信により接続される１つ又は複数のマイクロプロセッサ又は他の任意の構成の組み合わせとして構成されても良い。
【０２００】
以上、本発明の好ましい実施形態を説明したが、本発明はこのような実施形態に限定されず、本発明の趣旨を離脱しない限り、本発明に対するあらゆる変更は本発明の技術的範囲に属する。
【０２０１】
また、上述の実施例などに関し、さらに以下の付記を開示する。
【０２０２】
（付記１）
端末装置に設置される通信装置であって、
自動車通信（Ｖ２Ｘ）サービスと通信リソースパラメータとのマッピング関係に基づいて確定される通信リソースを取得又は選択する第一取得ユニット；及び
前記通信リソースを用いてターゲットＶ２Ｘサービスを送信する通信ユニットを含む、装置。
【０２０３】
（付記２）
付記１に記載の装置であって、
前記通信リソースパラメータは以下のパラメータのうちの少なくとも１つを含み、即ち、
サブキャリア間隔（Ｓｕｂｃａｒｒｉｅｒ  ｓｐａｃｉｎｇ、ＳＣＳ）、伝送ブロックの伝送時間長、バンド幅部分（Ｂａｎｄｗｉｄｔｈ  ｐａｒｔ、ＢＷＰ）の情報である、装置。
【０２０４】
（付記３）
付記１に記載の装置であって、
前記Ｖ２Ｘサービスと前記通信リソースパラメータとのマッピング関係は、
前記Ｖ２Ｘサービスのサービスタイプと前記通信リソースパラメータとのマッピング関係、及び／又は、前記Ｖ２Ｘサービスのサービス属性と前記通信リソースパラメータとのマッピング関係含む、装置。
【０２０５】
（付記４）
付記３に記載の装置であって、
前記Ｖ２Ｘサービスのサービスタイプは次の少なくとも１つであり、即ち、安全サービス又は非安全サービス、周期メッセージ又はイベントトリガーのメッセージ、公共アウェアネスメッセージ（Ｃｏｍｍｏｎ  Ａｗａｒｅｎｅｓｓ  Ｍｅｓｓａｇｅｓ、  ＣＡＭ）又は分散型環境通知メッセージ（Ｄｅｃｅｎｔｒａｌｉｓｅｄ  Ｅｎｖｉｒｏｎｍｅｎｔａｌ  Ｎｏｔｉｆｉｃａｔｉｏｎ  Ｍｅｓｓａｇｅｓ、ＤＥＮＭ）又は基本安全メッセージ（Ｂａｓｉｃ  Ｓａｆｅｔｙ  Ｍｅｓｓａｇｅ、ＢＳＭ）である、装置。
【０２０６】
（付記５）
付記３に記載の装置であって、
前記Ｖ２Ｘサービスのサービス属性は次の少なくとも１つであり、即ち、Ｖ２Ｘサービスの優先度、Ｖ２Ｘサービスの信頼性、Ｖ２Ｘサービスの遅延、Ｖ２Ｘサービスのサービス品質レベルである、装置。
【０２０７】
（付記６）
付記１−５のうちの任意の１項に記載の装置であって、
前記Ｖ２Ｘサービスと前記通信リソースパラメータとのマッピング関係は前記端末装置の上位層により確定され又は前記端末装置のアクセス層（ＡＳ  ｌａｙｅｒ）により確定される、装置。
【０２０８】
（付記７）
付記６に記載の装置であって、
前記第一取得ユニットは、
ネットワーク装置に前記ターゲットＶ２Ｘサービスに関する情報を送信し；及び
前記ネットワーク装置送信の指示情報を受信し、前記指示情報は、前記ネットワーク装置が前記ターゲットＶ２Ｘサービスに関する情報及び前記マッピング関係に基づいて確定する通信リソースパラメータに対応する通信リソースを指示するため用いられる、装置。
【０２０９】
（付記８）
付記６又は７に記載の装置であって、
前記Ｖ２Ｘサービスと前記通信リソースパラメータとのマッピング関係は前記通信装置により前記ネットワーク装置に送信される、装置。
【０２１０】
（付記９）
付記８に記載の装置であって、
前記Ｖ２Ｘサービスと前記通信リソースパラメータとのマッピング関係は無線リソース制御（ＲＲＣ）メッセージにより前記ネットワーク装置に送信される、装置。
【０２１１】
（付記１０）
付記１又は６に記載の装置であって、
前記第一取得ユニットは前記ターゲットＶ２Ｘサービス及び前記マッピング関係に基づいて通信リソースパラメータを確定し、そして、該通信リソースパラメータに対応する通信リソースを選択する、装置。
【０２１２】
（付記１１）
付記１０に記載の装置であって、
前記第一取得ユニットにはさらに、各通信リソースパラメータに対応する通信リソースの情報が提供され、
そのうち、前記第一取得ユニットは前記ターゲットＶ２Ｘサービス、前記マッピング関係、及び前記各通信リソースパラメータに対応する通信リソースの情報に基づいて通信リソースパラメータを確定し、そして、該通信リソースパラメータに対応する通信リソースを選択する、装置。
【０２１３】
（付記１２）
付記１１に記載の装置であって、
前記各通信リソースパラメータに対応する通信リソースの情報は以下の情報のうちの少なくとも１つを含み、即ち、
チャネルビジー率（ＣＢＲ）情報、優先度情報、信頼性情報、レート情報、遅延情報、サービス品質情報である、装置。
【０２１４】
（付記１３）
付記６−１２に記載の装置であって、さらに、
マッピング関係確定ユニットを含み、それは、前記端末装置の上位層又は前記端末装置のアクセス層が前記Ｖ２Ｘサービスのサービス要求に基づいて前記マッピング関係を確定するように制御する、装置。
【０２１５】
（付記１４）
付記１３に記載の装置であって、
前記マッピング関係確定ユニットには設定情報が提供され、
そのうち、前記マッピング関係確定ユニットは、前記端末装置の上位層又は前記端末装置のアクセス層が前記Ｖ２Ｘサービスのサービス要求、及び前記設定情報に基づいて前記マッピング関係を確定するように制御する、装置。
【０２１６】
（付記１５）
付記１−５のうちの任意の１項に記載の装置であって、
前記Ｖ２Ｘサービスと前記通信リソースパラメータとのマッピング関係はネットワーク装置により確定される、装置。
【０２１７】
（付記１６）
付記１５に記載の装置であって、
前記第一取得ユニットは、
ネットワーク装置に前記ターゲットＶ２Ｘサービスに関する情報を送信し；及び
前記ネットワーク装置送信の指示情報を受信し、前記指示情報は、前記ネットワーク装置が前記ターゲットＶ２Ｘサービスに関する情報及び前記マッピング関係に基づいて確定する通信リソースパラメータに対応する通信リソースを指示するために用いられる、装置。
【０２１８】
（付記１７）
付記１５に記載の装置であって、
前記第一取得ユニットは、
前記ネットワーク装置から前記マッピング関係を取得し；及び
前記ターゲットＶ２Ｘサービス及び前記マッピング関係に基づいて通信リソースパラメータを確定し、そして、該通信リソースパラメータに対応する通信リソースを選択する、装置。
【０２１９】
（付記１８）
付記７又は１５に記載の装置であって、
前記の確定された通信リソースパラメータがＢＷＰ情報であるときに、前記通信装置はさらに前記ネットワーク装置から該ＢＷＰの索引を含む制御情報を受信し、前記制御情報はサイドリンク（ｓｉｄｅｌｉｎｋ、ＳＬ）上の該ＢＷＰをアクティベートするために用いられる、装置。
【０２２０】
（付記１９）
付記１０又は１６に記載の装置であって、
Ｖ２Ｘサービスとサイドリンク（ｓｉｄｅｌｉｎｋ、ＳＬ）上で使用し得るＢＷＰとの間のマッピング関係が前記端末装置に設定される場合、前記第一取得ユニットは前記Ｖ２Ｘサービス及び前記マッピング関係に基づいて通信リソースパラメータとしてのＢＷＰを確認する、装置。
【０２２１】
（付記２０）
付記１０又は１６に記載の装置であって、
Ｖ２Ｘサービスとサイドリンク（ｓｉｄｅｌｉｎｋ、ＳＬ）上で使用し得るサブキャリア間隔（ＳＣＳ）との間のマッピング関係及びＢＷＰ設定が前記端末装置に設定され、
前記第一取得ユニットは前記Ｖ２Ｘサービス及び前記マッピング関係に基づいてＳＣＳを確定し、そして、確定したＳＣＳに基づいて通信リソースパラメータとしてのＢＷＰを選択し、又は、前記第一取得ユニットは前記Ｖ２Ｘサービス及び前記マッピング関係に基づいてＳＣＳを確定し、そして、確定したＳＣＳに基づいて送信プールを選択し、前記送信プールの所在するＢＷＰを通信リソースパラメータとしてのＢＷＰと確定する、装置。
【０２２２】
（付記２１）
ネットワーク装置に設置される通信装置であって、
第二取得ユニットを含み、それは自動車通信（Ｖ２Ｘ）サービスと通信リソースパラメータとのマッピング関係を取得又は確定する、装置。
【０２２３】
（付記２２）
付記２１に記載の装置であって、
前記通信リソースパラメータは以下のパラメータのうちの少なくとも１つを含み、即ち、
サブキャリア間隔（Ｓｕｂｃａｒｒｉｅｒ  ｓｐａｃｉｎｇ、ＳＣＳ）、伝送ブロックの伝送時間長、バンド幅部分（Ｂａｎｄｗｉｄｔｈ  ｐａｒｔ、ＢＷＰ）の情報である、装置。
【０２２４】
（付記２３）
付記２１に記載の装置であって、
前記Ｖ２Ｘサービスと前記通信リソースパラメータとのマッピング関係は、
前記Ｖ２Ｘサービスのサービスタイプと前記通信リソースパラメータとのマッピング関係、又は、前記Ｖ２Ｘサービスのサービス属性と前記通信リソースパラメータとのマッピング関係を含む、措置。
【０２２５】
（付記２４）
付記２３に記載の装置であって、
前記Ｖ２Ｘサービスのサービスタイプは次の少なくとも１つであり、即ち、安全サービス又は非安全サービス、周期メッセージ又はイベントトリガーのメッセージ、ＣＡＭメッセージ（Ｃｏｍｍｏｎ  Ａｗａｒｅｎｅｓｓ  Ｍｅｓｓａｇｅｓ）又はＤＥＮＭメッセージ（Ｄｅｃｅｎｔｒａｌｉｓｅｄ  Ｅｎｖｉｒｏｎｍｅｎｔａｌ  Ｎｏｔｉｆｉｃａｔｉｏｎ  Ｍｅｓｓａｇｅｓ）又はＢＳＭ（Ｂａｓｉｃ  Ｓａｆｅｔｙ  Ｍｅｓｓａｇｅ）である、装置。
【０２２６】
（付記２５）
付記２３に記載の装置であって、
前記Ｖ２Ｘサービスのサービス属性は次の少なくとも１つであり、即ち、Ｖ２Ｘサービスの優先度、Ｖ２Ｘサービスの信頼性、Ｖ２Ｘサービスの遅延、Ｖ２Ｘサービスのサービス品質レベルである、装置。
【０２２７】
（付記２６）
付記２１に記載の装置であって、
前記第二取得ユニットは無線リソース制御（ＲＲＣ）メッセージにより前記端末装置から前記Ｖ２Ｘサービスと前記通信リソースパラメータとのマッピング関係を受信する、装置。
【０２２８】
（付記２７）
付記２１−２５のうちの任意の１項に記載の装置であって、さらに、
前記端末装置から前記端末装置のターゲットＶ２Ｘサービスに関する情報を受信する受信ユニット；
前記ターゲットＶ２Ｘサービスに関する情報、及び前記マッピング関係に基づいて通信リソースパラメータを確定し、前記通信リソースパラメータに対応する通信リソースを確定する確定ユニット；及び
前記端末装置に前記通信リソースを指示するための指示情報を送信する送信ユニットを含む、装置。
【０２２９】
（付記２８）
付記２１に記載の装置であって、
前記通信装置は端末装置に各通信リソースパラメータに対応する通信リソースの情報を送信する、装置。
【０２３０】
（付記２９）
付記２１に記載の装置であって、
前記通信装置は端末装置に通信リソースパラメータを設定するための設定情報を提供する、装置。
【０２３１】
（付記３０）
付記２１に記載の装置であって、
前記通信装置は前記端末装置に前記マッピング関係を送信する、装置。
【０２３２】
（付記３１）
付記２７に記載の装置であって、
前記の確定された通信リソースパラメータがＢＷＰであるときに、前記送信ユニットは前記端末装置に該ＢＷＰの索引を含む制御情報を送信し、前記制御情報はサイドリンク（ｓｉｄｅｌｉｎｋ、ＳＬ）上の該ＢＷＰをアクティベートするために用いられる、装置。
【０２３３】
（付記３２）
ネットワーク装置及び端末装置を有する通信システムであって、
そのうち、前記ネットワーク装置は付記２１−３１のうちの任意の１項に記載の装置を含み、前記端末装置は付記１−２０のうちの任意の１項に記載の装置を含む、通信システム。
【図１】
2021532635.tif 000003
【図２】
2021532635.tif 000004
【図３】
2021532635.tif 000005
【図４】
2021532635.tif 000006
【図５】
2021532635.tif 000007
【図６】
2021532635.tif 000008
【図７】
2021532635.tif 000009
【図８】
2021532635.tif 000010
【図９】
2021532635.tif 000011
【図１０】
2021532635.tif 000012
【図１１】
2021532635.tif 000013
【図１２】
2021532635.tif 000014
【図１３】
2021532635.tif 000015
【図１４】
2021532635.tif 000016
【図１５】
2021532635.tif 000017
【図１６】
2021532635.tif 000018
【図１７】
2021532635.tif 000019
【図１８】
2021532635.tif 000020
【図１９】
2021532635.tif 000021
【国際調査報告】
2021532635.tif 000022
2021532635.tif 000023
2021532635.tif 000024
2021532635.tif 000025